(57)【要約】表示装置が提供される。一実施形態による表示装置は、第１方向に延び、互いに離隔して配置される第１電極幹部および第２電極幹部、前記第１電極幹部で分枝され、前記第１方向と異なる第２方向に延びて配置された少なくとも一つの第１電極枝部、前記第２電極幹部で分枝され、前記第２方向に延びて配置された第２電極枝部、前記第１電極枝部と前記第２電極枝部との間に配置される少なくとも一つの第３電極および前記第１電極枝部、前記第３電極および前記第２電極枝部の間に配置される少なくとも一つの発光素子を含み、前記第３電極は前記第２方向に延びて配置され、前記第３電極の前記第２方向への両端部はそれぞれ前記第１電極幹部と前記第２電極幹部で離隔した状態で終止し得る。【選択図】図１
2021532401.tif 000002
【特許請求の範囲】
【請求項１】
第１方向に延び、互いに離隔して配置される第１電極幹部および第２電極幹部と、
前記第１電極幹部で分枝され、前記第１方向と異なる第２方向に延びて配置された少なくとも一つの第１電極枝部と、
前記第２電極幹部で分枝され、前記第２方向に延びて配置された第２電極枝部と、
前記第１電極枝部と前記第２電極枝部との間に配置される少なくとも一つの第３電極と、
前記第１電極枝部、前記第３電極および前記第２電極枝部の間に配置される少なくとも一つの発光素子を含み、
前記第３電極は前記第２方向に延びて配置され、前記第３電極の前記第２方向への両端部はそれぞれ前記第１電極幹部と前記第２電極幹部で離隔した状態で終止する、表示装置。
【請求項２】
前記第１電極枝部は、前記第２電極枝部が延びる方向である前記第２方向の一側方向の逆方向に延びた、請求項１に記載の表示装置。
【請求項３】
前記発光素子は、前記第１電極枝部と前記第３電極との間に配置される第１発光素子と、
前記第３電極と前記第２電極枝部との間に配置される第２発光素子を含み、
前記第１発光素子および前記第２発光素子は、前記第１電極枝部と前記第２電極枝部との間で直列に接続される、請求項２に記載の表示装置。
【請求項４】
前記第１発光素子は前記第１電極枝部と一端が接続され、他端が前記第３電極に接続され、
前記第１発光素子の前記一端と前記他端のうちいずれか一つはｐ型半導体層を含み、他の一つはｎ型半導体層を含み、
前記第１発光素子の前記ｐ型半導体層および前記ｎ型半導体層の間に配置された活性層を含む、請求項３に記載の表示装置。
【請求項５】
前記表示装置は、前記第１電極枝部で互いに離隔して分枝される複数の前記第１電極枝部を含み、
複数の前記第１電極枝部の間には前記第２電極枝部が配置される、請求項１に記載の表示装置。
【請求項６】
前記第３電極は、前記第２電極枝部と前記第２電極枝部の一側に配置された前記第１電極枝部の間の領域、および前記第２電極枝部と前記第２電極枝部の他側に配置された前記第１電極枝部の間の領域に少なくとも一つ配置される、請求項５に記載の表示装置。
【請求項７】
前記表示装置は、二つ以上の前記第３電極を含み、前記発光素子は、互いに隣接する前記第３電極の間に配置される、請求項６に記載の表示装置。
【請求項８】
前記発光素子は、前記第２電極枝部の前記一側で電気的に接続された第３発光素子と、
前記第２電極枝部の前記他側で電気的に接続された第４発光素子を含み、
前記第３発光素子と前記第４発光素子は、前記第２電極枝部の前記一側と前記他側との間で並列に接続される、請求項７に記載の表示装置。
【請求項９】
前記複数の第１電極枝部と前記複数の第３電極は、前記第２電極枝部を中心に対称的に配置された、請求項８に記載の表示装置。
【請求項１０】
前記第３電極は、前記第１電極幹部および前記第２電極幹部から前記第２方向に突出して配置された第３電極短片部と、
前記第３電極短片部から離隔して配置され、前記第３電極短片部から延長されて配置される第３電極枝部を含む、請求項１に記載の表示装置。
【請求項１１】
前記第３電極は前記第１電極枝部と前記第２電極枝部との間に互いに離隔して配置される二つ以上の前記第３電極枝部を含み、
前記発光素子は、
一端が前記第１電極幹部と電気的に接続され、他端が前記第３電極枝部と接続される第５発光素子と、
両端が複数の前記第３電極枝部と電気的に接続される第６発光素子と、
一端が前記第３電極枝部と電気的に接続され、他端が前記第２電極枝部と接続される第７発光素子と、を含み、
前記第５発光素子、前記第６発光素子および前記第７発光素子は、前記第１電極枝部と前記第２電極枝部との間で直列に接続される、請求項１０に記載の表示装置。
【請求項１２】
第１方向に延び、互いに離隔して配置される第１電極幹部および第２電極配線と、
前記第１電極幹部で分枝され、前記第１方向と異なる第２方向に延びて配置された少なくとも一つの第１電極枝部と、
前記第１電極枝部と離隔して前記第２方向に延びるが、前記第１電極幹部で離隔した状態で終止した第２電極枝部と、
前記第１電極枝部と前記第２電極枝部との間に配置されて前記第２方向に延びるが、両端部が前記第１電極幹部と前記第２電極配線で離隔した状態で終止した第３電極と、
前記第１電極枝部、前記第２電極枝部および前記第３電極の間に配置された少なくとも一つの発光素子と、を含み、
前記第２電極枝部は、前記第２電極配線と電気的に接続された、表示装置。
【請求項１３】
前記第１電極幹部と前記第２電極配線は、互いに異なる配線層に配置され、
前記第２電極枝部は、前記第２電極配線とコンタクトホールを介して電気的に接続される、請求項１２に記載の表示装置。
【請求項１４】
前記第１電極幹部は、前記第２方向に突出した第２電極短片部をさらに含む、請求項１３に記載の表示装置。
【請求項１５】
前記第２電極短片部は、前記第２電極枝部と前記第２方向に延びて整列した、請求項１４に記載の表示装置。
【請求項１６】
前記第１電極幹部は、薄膜トランジスタと電気的に接続され、前記第２電極配線は共通電源配線に電気的に接続され、
前記発光素子は、前記第１電極枝部と前記第３電極との間に配置された第１発光素子および前記第３電極と前記第２電極枝部との間に配置された第２発光素子を含み、
前記第１発光素子と前記第２発光素子は、前記第１電極枝部と前記第２電極枝部との間で直列に接続される、請求項１５に記載の表示装置。
【請求項１７】
薄膜トランジスタに接続された第１電極と、
共通電源配線に接続された第２電極と、
前記第１電極と前記第２電極との間に配置されたフローティング電極と、
一端が前記第１電極に電気的に接続され、他端が前記フローティング電極に電気的に接続された少なくとも一つの第１発光ダイオードと、
一端が前記フローティング電極に電気的に接続され、他端が前記第２電極に電気的に接続された少なくとも一つの第２発光ダイオードを含み、
前記第１発光ダイオードと前記第２発光ダイオードは、前記第１電極と前記第２電極との間で直列に接続される、表示装置。
【請求項１８】
前記第１電極、前記第２電極および前記フローティング電極は、第１方向に延び、
前記第１発光ダイオードおよび前記第２発光ダイオードは、長さ方向が前記第１方向と異なる第２方向に向かうように配置される、請求項１７に記載の表示装置。
【請求項１９】
前記第１発光ダイオードおよび前記第２発光ダイオードは、それぞれ第１導電型半導体層、活性層および第２導電型半導体層を含み、
前記第１導電型半導体層と前記第２導電型半導体層のいずれか一つはｐ型で、他の一つはｎ型であり、
前記第１発光ダイオードの前記第１導電型半導体層は、前記第１電極と電気的に接続され、
前記第１発光ダイオードの前記第２導電型半導体層は、前記フローティング電極と電気的に接続され、
前記第２発光ダイオードの前記第１導電型半導体層は、前記フローティング電極と電気的に接続され、
前記第２発光ダイオードの前記第２導電型半導体層は、前記第２電極と電気的に接続される、請求項１８に記載の表示装置。
【請求項２０】
前記第１発光ダイオードおよび前記第２発光ダイオードは、前記長さが３μｍ〜６μｍの範囲を有する、請求項１９に記載の表示装置。
【発明の詳細な説明】
【技術分野】
【０００１】
本発明は表示装置に関し、より詳細には無機発光ダイオードアレイを含む表示装置に関する。
【背景技術】
【０００２】
表示装置は、マルチメディアの発達につれ、その重要性が増大している。それに応じて有機発光表示装置（Ｏｒｇａｎｉｃ  Ｌｉｇｈｔ  Ｅｍｉｔｔｉｎｇ  Ｄｉｓｐｌａｙ，ＯＬＥＤ）、液晶表示装置（Ｌｉｑｕｉｄ  Ｃｒｙｓｔａｌ  Ｄｉｓｐｌａｙ，ＬＣＤ）などのような様々な種類の表示装置が使われている。
【０００３】
表示装置の画像を表示する装置として、有機発光表示パネルや液晶表示パネルのような表示パネルを含む。そのうち、発光表示パネルでは、発光素子を含み得るが、例えば発光ダイオード（Ｌｉｇｈｔ  Ｅｍｉｔｔｉｎｇ  Ｄｉｏｄｅ，ＬＥＤ）の場合、有機物を蛍光物質として用いる有機発光ダイオード（ＯＬＥＤ）、無機物を蛍光物質として用いる無機発光ダイオードなどがある。
【０００４】
有機発光ダイオード（ＯＬＥＤ）の場合、発光素子の蛍光物質として有機物を用いるものであり、製造工程が簡単で表示素子がフレキシブルな特性を有し得る長所がある。しかし、有機物は高温の駆動環境に脆弱であり、青色光の効率が相対的に低いと知られている。
【０００５】
反面、無機発光ダイオードの場合、蛍光物質として無機物半導体を用いて高温の環境でも耐久性を有し、有機発光ダイオードに比べて青色光の効率が高い長所がある。また、従来の無機発光ダイオード素子の限界として指摘されていた製造工程においても、誘電泳動（Ｄｉｅｌｅｃｔｒｏｐｈｏｒｅｓｉｓ，ＤＥＰ）法を用いた転写方法が開発された。そのため、有機発光ダイオードに比べて耐久性および効率に優れた無機発光ダイオードに対する研究が引き続き行われている。
【発明の概要】
【発明が解決しようとする課題】
【０００６】
本発明が解決しようとする課題は、表示装置の発光素子配線を直列に構成することによって、駆動トランジスタの容量を減縮し、電圧分配効率と導線抵抗による電力損失が改善された表示装置を提供することにある。
【０００７】
本発明の課題は、以上で言及した課題に制限されず、言及されていないまた他の技術的課題は、以下の記載から当業者に明確に理解されるであろう。
【課題を解決するための手段】
【０００８】
前記課題を解決するための一実施形態による表示装置は、第１方向に延び、互いに離隔して配置される第１電極幹部および第２電極幹部、前記第１電極幹部で分枝され、前記第１方向と異なる第２方向に延びて配置された少なくとも一つの第１電極枝部、前記第２電極幹部で分枝され、前記第２方向に延びて配置された第２電極枝部、前記第１電極枝部と前記第２電極枝部との間に配置される少なくとも一つの第３電極および前記第１電極枝部、前記第３電極および前記第２電極枝部の間に配置される少なくとも一つの発光素子を含み、前記第３電極は前記第２方向に延びて配置され、前記第３電極の前記第２方向への両端部はそれぞれ前記第１電極幹部と前記第２電極幹部で離隔した状態で終止し得る。
【０００９】
前記第１電極枝部は、前記第２電極枝部が延びる方向である前記第２方向の一側方向の逆方向に延び得る。
【００１０】
前記発光素子は、前記第１電極枝部と前記第３電極との間に配置される第１発光素子および前記第３電極と前記第２電極枝部との間に配置される第２発光素子を含み、前記第１発光素子および前記第２発光素子は、前記第１電極枝部と前記第２電極枝部との間で直列に接続され得る。
【００１１】
前記第１発光素子は、前記第１電極枝部と一端が接続され、他端が前記第３電極に接続され、前記第１発光素子の前記一端と前記他端のいずれか一つはｐ型半導体層を含み、他の一つはｎ型半導体層を含み、前記第１発光素子の前記ｐ型半導体層および前記ｎ型半導体層の間に配置された活性層を含み得る。
【００１２】
前記表示装置は、前記第１電極枝部で互いに離隔して分枝される複数の前記第１電極枝部を含み、複数の前記第１電極枝部の間には前記第２電極枝部が配置され得る。
【００１３】
前記第３電極は、前記第２電極枝部と前記第２電極枝部の一側に配置された前記第１電極枝部の間の領域、および前記第２電極枝部と前記第２電極枝部の他側に配置された前記第１電極枝部の間の領域に少なくとも一つ配置され得る。
【００１４】
前記表示装置は、二つ以上の前記第３電極を含み、前記発光素子は、互いに隣接する前記第３電極の間に配置され得る。
【００１５】
前記発光素子は、前記第２電極枝部の前記一側で電気的に接続された第３発光素子および前記第２電極枝部の前記他側で電気的に接続された第４発光素子を含み、前記第３発光素子と前記第４発光素子は、前記第２電極枝部の前記一側と前記他側との間で並列に接続され得る。
【００１６】
前記複数の第１電極枝部と前記複数の第３電極は、前記第２電極枝部を中心に対称的に配置され得る。
【００１７】
前記第３電極は、前記第１電極幹部および前記第２電極幹部から前記第２方向に突出して配置された第３電極短片部および前記第３電極短片部から離隔して配置され、前記第３電極短片部から延びて配置される第３電極枝部を含み得る。
【００１８】
前記第３電極は、前記第１電極枝部と前記第２電極枝部との間に互いに離隔して配置される二つ以上の前記第３電極枝部を含み、前記発光素子は、一端が前記第１電極幹部と電気的に接続され、他端が前記第３電極枝部と接続される第５発光素子、両端が複数の前記第３電極枝部と電気的に接続される第６発光素子および一端が前記第３電極枝部と電気的に接続され、他端が前記第２電極枝部と接続される第７発光素子を含み、前記第５発光素子、前記第６発光素子および前記第７発光素子は、前記第１電極枝部と前記第２電極枝部との間で直列に接続され得る。
【００１９】
前記課題を解決するための他の実施形態による表示装置は、第１方向に延び、互いに離隔して配置される第１電極幹部および第２電極配線、前記第１電極幹部で分枝され、前記第１方向と異なる第２方向に延びて配置された少なくとも一つの第１電極枝部、前記第１電極枝部と離隔して前記第２方向に延びるが、前記第１電極幹部で離隔した状態で終止した第２電極枝部、前記第１電極枝部と前記第２電極枝部との間に配置されて前記第２方向に延びるが、両端部が前記第１電極幹部と前記第２電極配線で離隔した状態で終止した第３電極および前記第１電極枝部、前記第２電極枝部および前記第３電極の間に配置された少なくとも一つの発光素子を含み、前記第２電極枝部は、前記第２電極配線と電気的に接続され得る。
【００２０】
前記第１電極幹部と前記第２電極配線は、互いに異なる配線層に配置され、前記第２電極枝部は、前記第２電極配線とコンタクトホールを介して電気的に接続され得る。
【００２１】
前記第１電極幹部は、前記第２方向に突出した第２電極短片部をさらに含み得る。
【００２２】
前記第２電極短片部は、前記第２電極枝部と前記第２方向に延びて整列され得る。
【００２３】
前記第１電極幹部は、薄膜トランジスタと電気的に接続され、前記第２電極配線は共通電源配線に電気的に接続され、前記発光素子は、前記第１電極枝部と前記第３電極との間に配置された第１発光素子および前記第３電極と前記第２電極枝部との間に配置された第２発光素子を含み、前記第１発光素子と前記第２発光素子は、前記第１電極枝部と前記第２電極枝部との間で直列に接続され得る。
【００２４】
前記課題を解決するためのまた他の実施形態による表示装置は、薄膜トランジスタに接続された第１電極、共通電源配線に接続された第２電極、前記第１電極と前記第２電極との間に配置されたフローティング電極、一端が前記第１電極に電気的に接続され、他端が前記フローティング電極に電気的に接続された少なくとも一つの第１発光ダイオードおよび一端が前記フローティング電極に電気的に接続され、他端が前記第２電極に電気的に接続された少なくとも一つの第２発光ダイオードを含み、前記第１発光ダイオードと前記第２発光ダイオードは、前記第１電極と前記第２電極との間で直列に接続され得る。
【００２５】
前記第１電極、前記第２電極および前記フローティング電極は、第１方向に延び、前記第１発光ダイオードおよび前記第２発光ダイオードは、長さ方向が前記第１方向と異なる第２方向に向かうように配置され得る。
【００２６】
前記第１発光ダイオードおよび前記第２発光ダイオードは、それぞれ第１導電型半導体層、活性層および第２導電型半導体層を含み、前記第１導電型半導体層と前記第２導電型半導体層のいずれか一つはｐ型で、他の一つはｎ型であり、前記第１発光ダイオードの前記第１導電型半導体層は、前記第１電極と電気的に接続され、前記第１発光ダイオードの前記第２導電型半導体層は、前記フローティング電極と電気的に接続され、前記第２発光ダイオードの前記第１導電型半導体層は、前記フローティング電極と電気的に接続され、前記第２発光ダイオードの前記第２導電型半導体層は、前記第２電極と電気的に接続され得る。
【００２７】
前記第１発光ダイオードおよび前記第２発光ダイオードは、前記長さが３μｍ〜６μｍの範囲を有し得る。
【００２８】
その他実施形態の具体的な内容は、詳細な説明および図面に含まれている。
【発明の効果】
【００２９】
一実施形態による表示装置によれば、第１電極と第２電極との間にフローティング電極を含み、各電極の間に電気的に接続される発光素子が第１電極と第２電極との間で直列に接続され得る。したがって、表示装置の製造時駆動トランジスタの容量設計が容易になり、電圧分配効率と導線抵抗による電力損失を改善することができる。
【００３０】
実施形態による効果は、以上で例示した内容によって制限されず、より多様な効果が本明細書内に含まれている。
【図面の簡単な説明】
【００３１】
【図１】一実施形態による表示装置の平面図である。
【図２】図１の表示装置の一画素の等価回路図である。
【図３】他の実施形態による表示装置の一画素の等価回路図である。
【図４】図１のＩ−Ｉ’線に沿って切断した断面図である。
【図５】他の実施形態による表示装置の平面図である。
【図６】図５のＩＩ−ＩＩ’線とＩＩＩ−ＩＩＩ’線に沿って切断した断面図である。
【図７】一実施形態による発光素子の概略図である。
【図８】一実施形態による表示装置の製造方法を概略的に示す平面図である。
【図９】一実施形態による表示装置の製造方法を概略的に示す平面図である。
【図１０】一実施形態による表示装置の製造方法を概略的に示す平面図である。
【図１１】他の実施形態による表示装置を概略的に示す平面図である。
【図１２】他の実施形態による表示装置を概略的に示す平面図である。
【図１３】他の実施形態による表示装置を概略的に示す平面図である。
【図１４】また他の実施形態による表示装置の平面図である。
【図１５】図１４の表示装置の製造方法を概略的に示す平面図である。
【図１６】図１４の表示装置の製造方法を概略的に示す平面図である。
【図１７】図１４の表示装置の製造方法を概略的に示す平面図である。
【図１８】他の実施形態による表示装置の平面図である。
【図１９】他の実施形態による表示装置の平面図である。
【図２０】また他の実施形態による表示装置の平面図である。
【図２１】図２０の表示装置の製造方法を概略的に示す平面図である。
【図２２】図２０の表示装置の製造方法を概略的に示す平面図である。
【図２３】図２０の表示装置の製造方法を概略的に示す平面図である。
【発明を実施するための形態】
【００３２】
本発明の利点および特徴、並びにこれらを達成する方法は、添付する図面と共に詳細に後述されている実施形態を参照すると明確になる。しかし、本発明は、以下で開示する実施形態に限定されるものではなく、互いに異なる多様な形態で実現することができ、本実施形態は、単に本発明の開示を完全にし、本発明が属する技術分野における通常の知識を有する者に発明の範疇を完全に知らせるために提供するものであり、本発明は請求項の範疇によってのみ定義される。
【００３３】
素子（ｅｍｅｎｔｓ）または層が他の素子または層の「上（ｏｎ）」と称する場合は他の素子のすぐ上にまたは中間に他の層または他の素子を介在する場合をすべて含む。明細書全体にわたって同一参照符号は同一構成要素を称する。
【００３４】
第１、第２等が多様な構成要素を叙述するために使われるが、これら構成要素はこれら用語によって制限されないのは勿論である。これらの用語は、単に一つの構成要素を他の構成要素と区別するために使う。したがって、以下で言及する第１構成要素は、本発明の技術的思想内で第２構成要素であり得ることは勿論である。
【００３５】
以下、添付する図面を参照して実施形態について説明する。
【００３６】
図１は一実施形態による表示装置の平面図である。
【００３７】
表示装置１０は画素ＰＸと定義される領域を少なくとも一つ含み得る。複数の画素ＰＸは、表示装置１０の表示部に配置されてそれぞれ特定波長帯の光を表示装置１０の外部に放出することができる。図１では３個の画素（ＰＸ１，ＰＸ２，ＰＸ３）を例示的に示すが、表示装置１０はより多くの数の画素を含み得ることは自明である。図面では断面上一方向、例えば第１方向Ｄ１にのみ配置される複数の画素ＰＸを示しているが、複数の画素ＰＸは第１方向Ｄ１と交差する方向である第２方向Ｄ２にも配置され得る。また、図１の画素ＰＸが複数に分割されてそれぞれが一つの画素ＰＸを構成することもできる。必ずしも図１のように画素が平行に第１方向Ｄ１にのみ配置されず、垂直方向（または、第２方向）に配置される、またはジグザグ型に配置されるなど多様な構造が可能である。
【００３８】
図面に示していないが、表示装置１０は発光素子３５０が配置されて特定色の光を表示する発光部と発光部以外の領域として定義される非発光部を含み得る。非発光部は、表示装置１０の外部で視認されないように特定部材によってカバーされることができる。非発光部には発光部に配置される発光素子３５０を駆動するための多様な部材が配置され得る。一例として、非発光部には発光部に電気信号を印加するための配線、回路部、駆動部などが配置され得るが、これに制限されるものではない。
【００３９】
複数の画素ＰＸは、特定波長帯の光を放出する発光素子３５０を一つ以上含んで色を表示することができる。発光素子３５０から放出される光は表示装置１０の発光部を介して外部で視認されることができる。一実施形態において、互いに異なる色を表示する画素ＰＸごとに互いに異なる色を発光する発光素子３５０を含み得る。例えば、赤色を表示する第１画素ＰＸ１は赤色の光を発光する発光素子３５０を含み、緑色を表示する第２画素ＰＸ２は緑色の光を発光する発光素子３５０を含み、青色を表示する第３画素ＰＸ３は青色の光を放出する発光素子３５０を含み得る。ただし、これに制限されるものではなく、場合によっては互いに異なる色を示す画素が同じ色（例えば青色）を発光する発光素子３５０を含み、発光経路上に波長変換層やカラーフィルタを配置して各画素の色を実現することもできる。ただし、これに制限されるものではなく、場合によっては隣接する画素ＰＸが同じ色の光を放出することもできる。
【００４０】
図１を参照すると、表示装置１０は、複数の電極（３１０，３２０，３３０）と複数の発光素子３５０を含み得る。各電極（３１０，３２０，３３０）の少なくとも一部は、各画素ＰＸ内に配置され、発光素子３５０と電気的に接続され、発光素子３５０が特定色を発光するように電気信号を印加することができる。
【００４１】
また、各電極（３１０，３２０，３３０）の少なくとも一部は、発光素子３５０を整列するために、画素ＰＸ内の電場形成に活用することができる。具体的に説明すると、複数の画素ＰＸに互いに異なる色を発光する発光素子３５０を整列させる時、各画素ＰＸ別に互いに異なる発光素子３５０を正確に整列させることが必要である。誘電泳動法を用いて発光素子３５０を整列させる時には、発光素子３５０が含まれた溶液を表示装置１０に塗布し、それに交流電源を印加して電場を形成して発光素子３５０に誘電泳動力を加えて整列させることができる。
【００４２】
複数の電極（３１０，３２０，３３０）は、第１電極３１０、第２電極３２０および第３電極３３０を含み得る。例示的な実施形態において、第１電極３１０は各画素ＰＸごとに分離した画素電極であり、第２電極３２０は複数の画素ＰＸに沿って共通に接続された共通電極であり得る。第１電極３１０は発光素子３５０のアノード電極であり、第２電極３２０は発光素子３５０のカソード電極であり得る。ただし、これに制限されず、その逆の場合であり得る。
【００４３】
第１電極３１０と第２電極３２０は、それぞれ第１方向Ｄ１に延びて配置される電極幹部３１０Ｓ，３２０Ｓと電極幹部３１０Ｓ，３２０Ｓで第１方向Ｄ１と交差する方向である第２方向Ｄ２に延びて分枝される少なくとも一つの電極枝部３１０Ｂ，３２０Ｂを含み得る。
【００４４】
具体的には、第１電極３１０は、第１方向Ｄ１に延びて配置される第１電極幹部３１０Ｓと第１電極幹部３１０Ｓで分枝されるが、第２方向Ｄ２に延びる少なくとも一つの第１電極枝部３１０Ｂを含み得る。第１電極幹部３１０Ｓは、図面に示していないが、一端部は信号印加パッドに接続され、他端部は第１方向Ｄ１に延びるが、各画素ＰＸの間で電気的に接続が分離され得る。前記信号印加パッドは表示装置１０または外部の電力源と接続されて第１電極幹部３１０Ｓに電気信号を印加したり、上述した発光素子３５０の整列時交流電源を印加することができる。
【００４５】
任意の一画素の第１電極幹部３１０Ｓは、同一行に属する（例えば、第１方向Ｄ１に隣接する）隣り合う画素の第１電極幹部３１０Ｓと実質的に同一直線上に置かれ得る。すなわち、一画素の第１電極幹部３１０Ｓは、両端が各画素ＰＸの間で離隔して終止するが、隣画素の第１電極幹部３１０Ｓは、前記一画素の第１電極幹部３１０Ｓの延長線に整列されることができる。このような第１電極幹部３１０Ｓの配置は、製造過程で一つの接続された幹電極で形成されてから、発光素子３５０の整列工程を行った後にレーザなどにより断線して形成されたものであり得る。そのため、各画素ＰＸに配置される第１電極幹部３１０Ｓは、各第１電極枝部３１０Ｂに互いに異なる電気信号を印加することができ、第１電極枝部３１０Ｂはそれぞれ別に駆動されることができる。
【００４６】
第１電極枝部３１０Ｂは、第１電極幹部３１０Ｓの少なくとも一部で分枝され、第２方向Ｄ２に延びて配置され、第１電極幹部３１０Ｓに対向して配置される第２電極幹部３２０Ｓと離隔した状態で終止し得る。すなわち、第１電極枝部３１０Ｂは一端部が第１電極幹部３１０Ｓと接続され、他端部は第２電極幹部３２０Ｓと離隔した状態で画素ＰＸ内に配置され得る。第１電極枝部３１０Ｂは、各画素ＰＸごとに電気的に分離する第１電極幹部３１０Ｓに接続されているので、各画素ＰＸ別に互いに異なる電気信号の印加を受けることができる。
【００４７】
また、第１電極枝部３１０Ｂは、後述する第２電極枝部３２０Ｂおよび第３電極３３０と離隔して対向するように配置され得る。図１では一つの第１電極枝部３１０Ｂが配置された場合を示しているが、これに制限されず複数配置され得る。この場合、第１電極枝部３１０Ｂの一部は、第１電極幹部３１０Ｓと電気的に分離して後述する第３電極３３０を構成することもできる。これに対する詳しい説明は後述する。
【００４８】
第２電極３２０は、第２方向Ｄ１に延びて第１電極幹部３１０Ｓと離隔して対向するように配置される第２電極幹部３２０Ｓと第２電極幹部３２０Ｓで分枝されるが、第２方向Ｄ２に延びて第１電極枝部３１０Ｂと離隔して対向するように配置される少なくとも一つの第２電極枝部３２０Ｂを含み得る。第２電極幹部３２０Ｓも第１電極幹部３１０Ｓのように一端部は信号印加パッドに接続され得る。ただし、第２電極幹部３２０Ｓは、他端部が第１方向Ｄ１に隣接する複数の画素ＰＸに延び得る。すなわち、第２電極幹部３２０Ｓは各画素ＰＸの間で電気的に接続され得る。そのため、任意の一画素である第２電極幹部３２０Ｓは、両端が各画素ＰＸの間で隣画素の第２電極幹部３２０Ｓの一端に接続されて各画素ＰＸに同じ電気信号を印加することができる。
【００４９】
第２電極枝部３２０Ｂは、第２電極幹部３２０Ｓの少なくとも一部で分枝され、第２方向Ｄ２に延びて配置され、第１電極幹部３１０Ｓと離隔した状態で終止し得る。すなわち、第２電極枝部３２０Ｂは、一端部が第２電極幹部３２０Ｓと接続され、他端部は第１電極幹部３１０Ｓと離隔した状態で画素ＰＸ内に配置され得る。第２電極枝部３２０Ｂは、各画素ＰＸごとに電気的に接続される第２電極幹部３２０Ｓに接続されているので、各画素ＰＸごとに同じ電気信号の印加を受けることができる。
【００５０】
また、第２電極枝部３２０Ｂは、第１電極枝部３１０Ｂおよび第３電極３３０と離隔して対向するように配置され得る。ここで、第１電極幹部３１０Ｓと第２電極幹部３２０Ｓは、各画素ＰＸの中央を基準に互いに逆方向で離隔して対向するので、第１電極枝部３１０Ｂと第２電極枝部３２０Ｂは延びる方向が逆であり得る。すなわち、第１電極枝部３１０Ｂは第２方向Ｄ２の一方向に延び、第２電極枝部３２０Ｂは第２方向Ｄ２の他方向に延び、各枝部の一端部は画素ＰＸの中央を基準に互いに逆方向に配置され得る。ただし、これに制限されず、第１電極幹部３１０Ｓと第２電極幹部３２０Ｓは画素ＰＸの中央を基準に同じ方向で互いに離隔して配置されることもできる。この場合、各電極幹部３１０Ｓ，３２０Ｓで分枝される第１電極枝部３１０Ｂと第２電極枝部３２０Ｂは同じ方向に延びることもできる。
【００５１】
図１では一つの第２電極枝部３２０Ｂが配置された場合を示しているが、これに制限されず、複数配置され得る。この場合、第２電極枝部３２０Ｂも第１電極枝部３１０Ｂのように一部は第２電極幹部３２０Ｓと電気的に分離して後述する第３電極３３０を構成することもできる。
【００５２】
第１電極枝部３１０Ｂと第２電極枝部３２０Ｂが離隔した領域の間には少なくとも一つの第３電極３３０が配置され得る。第３電極３３０は実質的に第１電極幹部３１０Ｂまたは第２電極幹部３２０Ｂと同じ形状を有して対向するように配置され得る。第３電極３３０は第２方向Ｄ２に延びるが、第２方向Ｄ２の両端がそれぞれ第１電極幹部３１０Ｓと第２電極幹部３２０Ｓと離隔した状態で終止し得る。すなわち、第３電極３３０は、電極幹部３１０Ｓ，３２０Ｓと電気的に分離することができる。一実施形態において、第３電極３３０は、電極幹部３１０Ｓ，３２０Ｓから直接電気信号が印加されないフローティング電極（Ｆｌｏａｔｉｎｇ  ｅｌｅｃｔｒｏｄｅ）であり得る。ただし、これに制限されるものではない。
【００５３】
第３電極３３０は、第１電極枝部３１０Ｂと第２電極枝部３２０Ｂとの間で同じ間隔で離隔することができる。すなわち、第３電極３３０は、第１電極枝部３１０Ｂと第２電極枝部３２０Ｂとの間の中央で一定の広さを有するように形成されることができる。後述する発光素子３５０が第１電極枝部３１０Ｂと第３電極３３０との間、第３電極３３０と第２電極枝部３２０Ｂとの間に整列される。第３電極３３０は、発光素子３５０が第１電極枝部３１０Ｂまたは第２電極枝部３２０Ｂと第３電極３３０に接続されるように一定の間隔を置いて離隔して配置することができる。ただし、これに制限されず、第３電極３３０の第１方向Ｄ１に測定された長さが十分に長い場合は、必ずしも第３電極３３０が第１電極枝部３１０Ｂと第２電極枝部３２０Ｂとの間で同じ間隔で離隔されなくてもよい。
【００５４】
図面では、一つの第３電極３３０の両端部は、それぞれ第１電極枝部３１０Ｂと第２電極枝部３２０Ｂの一端部に整列された場合を示している。一例として、複数の第３電極３３０が配置される場合、第３電極３３０は、実質的に第１電極枝部３１０Ｂと第２電極枝部３２０Ｂと第１方向Ｄ１に整列され得る。ただし、これに制限されるものではない。いくつかの実施形態において、第３電極３３０の両端部のうち少なくとも一部が第１電極枝部３１０Ｂと第２電極枝部３２０Ｂの前記一端部より突出した状態に配置されることもできる。この場合、複数の第３電極３３０は、第１電極枝部３１０Ｂと第２電極枝部３２０Ｂとの間で整列されるが、両端部は整列されず一部が突出するように配置されることもできる。
【００５５】
このような形態の第３電極３３０は、第１電極枝部３１０Ｂおよび第２電極枝部３２０Ｂとは別個の構成で形成されるが、これに制限されない。いくつかの実施形態において、第３電極３３０は、第１電極枝部３１０Ｂまたは第２電極枝部３２０Ｂと実質的に同一に形成され、以後の追加的な断線工程によって第１電極枝部３１０Ｂおよび第２電極枝部３２０Ｂと区分されることができる。すなわち、一部の第３電極３３０は、第１電極幹部３１０Ｓまたは第２電極幹部３２０Ｓと電気的に接続されるように配置された後にレーザなどによって断線することにより形成されることもできる。これに対するより詳しい説明は後述する。
【００５６】
第１電極枝部３１０Ｂと第３電極３３０との間、第３電極３３０と第２電極枝部３２０Ｂとの間には複数の発光素子３５０が整列され得る。具体的には、複数の発光素子３５０のうち少なくとも一部は、一端部が第１電極枝部３１０Ｂと電気的に接続され、他端部が第３電極３３０の第１電極枝部３１０Ｂに対向する一側部と電気的に接続され得る。また、一部の発光素子３５０は、一端部が第３電極３３０の第２電極枝部３１０Ｂに対向する他側部と電気的に接続され、他端部が第２電極枝部３２０Ｂと電気的に接続され得る。
【００５７】
また、発光素子３５０と接続された第１電極枝部３１０Ｂ、第２電極枝部３２０Ｂおよび第３電極３３０上にはそれぞれ接触電極３６０が配置され得る。接触電極３６０は、発光素子３５０と各電極枝部３１０Ｂ，３２０Ｂまたは第３電極３３０が電気的に接続されるように発光素子３５０と接触し得る。接触電極３６０は少なくとも発光素子３５０の両端の側部で接触し得る。そのため、発光素子３５０は電気信号の印加を受けて特定色の光を放出することができる。
【００５８】
いくつかの実施形態において、第１電極枝部３１０Ｂまたは第３電極３３０の前記他側部に接触する発光素子３５０の一端は、ｎ型またはｐ型にドーピングされた導電性物質層であり、第３電極３３０の前記一側部または第２電極枝部３２０＿Ｂと接触する発光素子３５０の他端はｐ型またはｎ型にドーピングされた導電性物質層であり得る。ただし、これに制限されるものではない。
【００５９】
複数の発光素子３５０は、互いに平行するように配置され得る。この場合、それぞれの発光素子３５０が配置された間隔は均一であり得る。しかし、これに制限されるものではない。場合によっては複数の発光素子３５０が隣接して配置されて群れをなし、他の複数の発光素子３５０は一定間隔離隔した状態で群れをなすこともでき、不均一な密集度を有するが、一方向に配向されて整列されることもできる。
【００６０】
前述したように、第１電極枝部３１０Ｂと第３電極３３０との間、第３電極３３０と第２電極枝部３２０Ｂとの間には複数の発光素子３５０が配置されて電気的に接続され得る。そのため、第１電極枝部３１０Ｂと第２電極枝部３２０Ｂが離隔した間隔は発光素子３５０の長軸の長さより長いが、第３電極３３０と第１電極枝部３１０Ｂおよび第２電極枝部３２０Ｂとの間の間隔は発光素子３５０の長軸長さより短くてもよい。ただし、これに制限されるものではない。
【００６１】
第３電極３３０と第１電極枝部３１０Ｂとの間に配置される発光素子３５０と第２電極枝部３２０Ｂとの間に配置された発光素子３５０は電気的に直列に接続され得る。一つの画素ＰＸ内で発光素子３５０が一部分けられて配置されることによって直列接続をなすことができる。発光素子３５０が並列接続をなす場合に比べて発光素子３５０に印加される電圧がより大きくなるので、電圧分配効率が増加し得る。また、直列に接続された発光素子３５０を駆動するために必要な電流量が減少するので、発光素子３５０に電流を印加するための駆動トランジスタの容量が減少し、電源配線による電力損失を減少させることができる。そのため、表示装置１０の駆動において電圧効率や発光効率を向上させることができる。
【００６２】
一方、図１に示すように、第１電極幹部３１０Ｓと第２電極幹部３２０Ｓは、それぞれコンタクトホール、例えば第１電極コンタクトホールＣＮＴＤおよび第２電極コンタクトホールＣＮＴＳを介して後述する薄膜トランジスタ１２０または電源配線１６１と電気的に接続され得る。図１では第１電極幹部３１０Ｓと第２電極幹部３２０Ｓ上のコンタクトホールは、各画素ＰＸ別に配置された場合を示しているが、これに制限されるものではない。前述したように、第２電極幹部３２０Ｓの場合、隣接する画素ＰＸに延びて電気的に接続されるので、いくつかの実施形態における第２電極幹部３２０Ｓは一つのコンタクトホールを介して薄膜トランジスタと電気的に接続され得る。
【００６３】
図２は図１の表示装置の一画素の等価回路図である。図面に示していないが、表示装置１０は複数の画素ＰＸを含み得る。図２では任意の第ｉ，ｊ画素ＰＸ（ｉ，ｊ）を例示して説明する。
【００６４】
図２を参照すると、表示装置１０の任意の画素ＰＸ（ｉ，ｊ）は、第ｉスキャン線ＳＬｉ、第ｊデータ線ＤＬｊ、第１スイッチング素子ＴＲ１、第２スイッチング素子ＴＲ２、発光素子３５０およびストレージキャパシタＣｓｔを含み得る。
【００６５】
第１スイッチング素子ＴＲ１は、第ｉスキャン線ＳＬｉ、第ｊデータ線ＤＬｊおよび第２スイッチング素子ＴＲ２と電気的に接続され得る。例示的な実施形態において、第１スイッチング素子ＴＲ１と第２スイッチング素子ＴＲ２は、薄膜トランジスタのような三端子素子であり得る。以下では、第１スイッチング素子ＴＲ１および第２スイッチング素子ＴＲ２が薄膜トランジスタである場合を例示して説明する。
【００６６】
第１スイッチング素子ＴＲ１は、第ｉスキャン線ＳＬｉと電気的に接続される制御電極、第ｊデータ線ＤＬｊと電気的に接続される一電極および第２スイッチング素子ＴＲ２の制御電極と電気的に接続される他電極を含み得る。
【００６７】
第２スイッチング素子ＴＲ２は、第２スイッチング素子ＴＲ２の他電極と電気的に接続される制御電極、第１駆動電圧ＶＤＤが提供される第１駆動電圧線ＶＤＤＬと電気的に接続される一電極および発光素子３５０と電気的に接続される他電極を含み得る。
【００６８】
ストレージキャパシタＣｓｔは、一電極が第１スイッチング素子ＴＲ１の他電極と電気的に接続され得、他電極が第１駆動電圧ＶＤＤが提供される第１駆動電圧線ＶＤＤＬと電気的に接続され得る。
【００６９】
第１スイッチング素子ＴＲ１は、第ｉスキャン線ＳＬｉから提供されたスキャン信号Ｓｉに応じてターンオンし、第ｊデータ線ＤＬｊから提供されたデータ信号ＤｊをストレージキャパシタＣｓｔに提供することができる。ストレージキャパシタＣｓｔは、提供されたデータ信号Ｄｊの電圧と第１駆動電圧ＶＤＤとの電圧差を充電することができる。第２スイッチング素子ＴＲ２は、ストレージキャパシタＣｓｔに充電される電圧に応じて、発光素子３５０に提供される駆動電流の電流量を制御することができる。すなわち、第１スイッチング素子ＴＲ１は、スイッチングトランジスタであり得、第２スイッチング素子ＴＲ２は駆動トランジスタであり得る。
【００７０】
発光素子３５０は、第１電極３１０と接続される一端部は、第２スイッチング素子ＴＲ２の前記他電極と電気的に接続され得る。発光素子３５０は、第２スイッチング素子ＴＲ２の前記他電極を介して電流の印加を受けることができる。発光素子３５０が第２電極３２０と接続される他端部は、第２駆動電圧線ＶＳＳＬと電気的に接続されて第２駆動電圧ＶＳＳが印加されることができる。第１駆動電圧ＶＤＤは第２駆動電圧ＶＳＳより電圧レベルが高い。
【００７１】
図２に示すように、複数の発光素子３５０は、第２スイッチング素子ＴＲ２と第２駆動電圧ＶＳＳが提供される第２駆動電圧線ＶＳＳＬとの間で直列に接続され得る。図面に示すように直列に接続された発光素子３５０の数は特に制限されず、より多くの数の発光素子３５０が直列に接続され得ることは自明である。各発光素子３５０を駆動するために必要な第１駆動電圧ＶＤＤおよび第２駆動電圧ＶＳＳと発光素子３５０との間の電圧分配効率が向上することができる。また、発光素子３５０が直列接続されることにより第２スイッチング素子ＴＲ２に流れる電流が減少するので、薄膜トランジスタの容量設計が容易になる。流れる電流が減少したので、電源配線または第１駆動電圧線ＶＤＤＬおよび第２駆動電圧線ＶＳＳＬの電力損失が減少することができる。
【００７２】
一方、図２では表示装置１０が２個のスイッチング素子である第１スイッチング素子ＴＲ１、第２スイッチング素子ＴＲ２と一つのキャパシタであるストレージキャパシタＣｓｔを含む場合を示しているが、これに制限されるものではない。いくつかの実施形態において、表示装置１０はより多くの数のスイッチング素子を含み得る。以下では図３を参照して他の実施形態による表示装置１０の等価回路図について説明する。
【００７３】
図３は他の実施形態による表示装置の一画素の等価回路図である。図３では任意の第ｉ，ｊ画素ＰＸ（ｉ，ｊ）を例示して説明する。
【００７４】
図３を参照すると、表示装置１０の任意の第ｉ，ｊ画素ＰＸ（ｉ，ｊ）は、第ｉスキャン線ＳＬｉ、第ｉ−１スキャン線ＳＬｉ−１、第ｊデータ線ＤＬｊ、第ｉ発光制御線Ｅｉ、第１ないし第７スイッチング素子ＴＲ１〜ＴＲ７、発光素子３５０およびストレージキャパシタＣｓｔを含み得る。
【００７５】
発光素子３５０は、第１電極３１０と接続される一端部は、第５スイッチング素子ＴＲ５の一電極と第７スイッチング素子ＴＲ７の一電極と電気的に接続され得る。発光素子３５０は第５スイッチング素子ＴＲ５と第７スイッチング素子ＴＲ７の一電極を介して電流の印加を受けることができる。発光素子３５０が第２電極３２０と接続される他端部は第２駆動電圧線ＶＳＳＬと電気的に接続されて第２駆動電圧ＶＳＳが印加され得る。
【００７６】
第１スイッチング素子ＴＲ１の一電極は、第１ノードＮ１に電気的に接続され、第１スイッチング素子ＴＲ１の他電極は第２ノードＮ２に電気的に接続される。第１スイッチング素子ＴＲ１のゲート電極は、第３ノードＮ３を介してストレージキャパシタＣｓｔの一端と電気的に接続される。第１スイッチング素子ＴＲ１は、第５スイッチング素子ＴＲ５を経由して発光素子３５０の一端部と電気的に接続される。第１スイッチング素子ＴＲ１は、第２スイッチング素子ＴＲ２のスイッチング動作に応じて第ｊデータ線ＤＬｊのデータ信号の伝達を受けて発光素子３５０に電流を供給することができる。
【００７７】
第２スイッチング素子ＴＲ２の一電極は、第ｊデータ線ＤＬｊに電気的に接続され、第２スイッチング素子ＴＲ２の他電極は、第１ノードＮ１に電気的に接続される。第２スイッチング素子ＴＲ２のゲート電極は、第ｉスキャン線ＳＬｉに電気的に接続される。第２スイッチング素子ＴＲ２の第１ノードＮ１に電気的に接続された前記他電極は、第４スイッチング素子ＴＲ４を介して第１駆動電圧線ＶＤＤＬと電気的に接続される。第２スイッチング素子は、第ｉスキャン線ＳＬｉのスキャン信号に応じてターンオンして第ｊデータ線ＤＬｊに伝達されたデータ信号を第１スイッチング素子ＴＲ１に伝達するスイッチング動作を行うことができる。
【００７８】
第３スイッチング素子ＴＲ３の一電極は、第２ノードＮ２に電気的に接続され、第３スイッチング素子ＴＲ３の他電極は、第３ノードＮ３に電気的に接続される。第３スイッチング素子ＴＲ３のゲート電極は、第ｉスキャン線ＳＬｉに電気的に接続される。第ｉスキャン線ＳＬｉにスキャン信号が印加されると、第３スイッチング素子ＴＲ３がターンオンして第１スイッチング素子ＴＲ１がダイオード接続される。
【００７９】
第４スイッチング素子ＴＲ４の一電極は、第１駆動電圧線ＶＤＤＬに電気的に接続されて第１駆動電圧ＶＤＤが供給される。第４スイッチング素子ＴＲ４の他電極は、第１ノードＮ１に電気的に接続され、第４スイッチング素子ＴＲ４のゲート電極は、第ｉ発光制御線Ｅｉに電気的に接続される。
【００８０】
第５スイッチング素子ＴＲ５の一電極は、第２ノードＮ２に電気的に接続され、第５スイッチング素子ＴＲ５の他電極は、発光素子３５０の前記一端部と電気的に接続される。第５スイッチング素子ＴＲ５のゲート電極は第ｉ発光制御線Ｅｉに電気的に接続される。第４スイッチング素子ＴＲ４および第５スイッチング素子ＴＲ５は、第ｉ発光制御線Ｅｉを介して伝達された発光制御信号に応じて同時にターンオンして第１駆動電圧ＶＤＤが発光素子３５０に伝達されて発光素子３５０に駆動電流が流れるようにすることができる。
【００８１】
第６スイッチング素子ＴＲ６の一電極は、第３ノードＮ３に電気的に接続されて第６スイッチング素子ＴＲ６の他電極は、初期化電源Ｖｉｎｉｔが供給される。第６スイッチング素子ＴＲ６のゲート電極は、第ｉ−１スキャン線ＳＬｉ−１に電気的に接続される。スキャン信号がスキャン線ＳＬに順次供給されるので、第ｉ−１スキャン線ＳＬｉ−１にスキャン信号が供給された後に第ｉスキャン線ＳＬｉにもスキャン信号が供給され得る。第６スイッチング素子ＴＲ６は、第ｉ−１スキャン線ＳＬｉ−１を介して伝達されたスキャン信号に応じてターンオンし、初期化電源Ｖｉｎｉｔを第１スイッチング素子ＴＲ１のゲート電極に伝達し、第１スイッチング素子ＴＲ１のゲート電極の電圧を初期化させる初期化動作を行うことができる。
【００８２】
第７スイッチング素子ＴＲ７の一電極は、発光素子３５０の前記一端部と電気的に接続され、第７スイッチング素子ＴＲ７の他電極は、初期化電源Ｖｉｎｉｔが供給される。第７スイッチング素子ＴＲ７のゲート電極は、第ｉ−１スキャン線ＳＬｉ−１に電気的に接続される。第７スイッチング素子ＴＲ７は、スキャン信号に応じてターンオンして発光素子３５０の一端部電極を初期化させることができる。
【００８３】
第１ないし第７スイッチング素子ＴＲ１〜ＴＲ７は、薄膜トランジスタであり得る。また、第１ないし第７スイッチング素子ＴＲ１〜ＴＲ７それぞれにおいて、一電極はソース電極やドレイン電極のうちいずれか一つであり得、他電極はソース電極やドレイン電極のうち残りの一つであり得る。
【００８４】
ストレージキャパシタＣｓｔの一端は第１駆動電圧線ＶＤＤＬが電気的に接続されて第１駆動電圧ＶＤＤが供給され、他端は第３ノードＮ３に電気的に接続され得る。
【００８５】
以下では、図４を参照して表示装置１０上に配置される複数の部材のより具体的な構造について説明する。
【００８６】
図４は図１のＩ−Ｉ’線に沿って切断した断面図である。図４は一画素ＰＸのみを示しているが、他の画素の場合にも同様に適用することができる。
【００８７】
図１および図４を参照すると、表示装置１０は、基板１１０、基板１１０上に配置された薄膜トランジスタ１２０，１４０、薄膜トランジスタ１２０，１４０の上部に配置された電極（３１０，３２０，３２０）と発光素子３５０を含み得る。薄膜トランジスタは、第１薄膜トランジスタ１２０と第２薄膜トランジスタ１４０を含み得、これらはそれぞれ駆動トランジスタとスイッチングトランジスタであり得る。各薄膜トランジスタ１２０，１４０は、活性層、ゲート電極、ソース電極およびドレイン電極を含み得る。第１電極３１０は第１薄膜トランジスタ１２０のドレイン電極と電気的に接続され得る。
【００８８】
より具体的に説明すると、基板１１０は絶縁基板であり得る。基板１１０はガラス、石英、または高分子樹脂などの絶縁物質からなる。前記高分子物質の例としてはポリエーテルサルホン（ｐｏｌｙｅｔｈｅｒｓｕｌｐｈｏｎｅ：ＰＥＳ）、ポリアクリレート（ｐｏｌｙａｃｒｙｌａｔｅ：ＰＡ）、ポリアリレート（ｐｏｌｙａｒｙｌａｔｅ：ＰＡＲ）、ポリエーテルイミド（ｐｏｌｙｅｔｈｅｒｉｍｉｄｅ：ＰＥＩ）、ポリエチレンナフタレート（ｐｏｌｙｅｔｈｙｌｅｎｅ  ｎａｐｔｈａｌａｔｅ：ＰＥＮ）、ポリエチレンテレフタレート（ｐｏｌｙｅｔｈｙｌｅｎｅ  ｔｅｒｅｐｔｈａｌａｔｅ：ＰＥＴ）、ポリフェニレンサルファイド（ｐｏｌｙｐｈｅｎｙｌｅｎｅ  ｓｕｌｆｉｄｅ：ＰＰＳ）、ポリアリレート（ｐｏｌｙａｌｌｙｌａｔｅ）、ポリイミド（ｐｏｌｙｉｍｉｄｅ：ＰＩ）、ポリカーボネート（ｐｏｌｙｃａｒｂｏｎａｔｅ：ＰＣ）、セルローストリアセテート（ｃｅｌｌｕｌｏｓｅ  ｔｒｉａｃｅｔａｔｅ：ＣＡＴ）、セルロースアセテートプロピオネート（ｃｅｌｌｕｌｏｓｅ  ａｃｅｔａｔｅ  ｐｒｏｐｉｏｎａｔｅ：ＣＡＰ）またはこれらの組み合わせが挙げられる。基板１１０は、リジッド基板であり得るが、ベンディング（ｂｅｎｄｉｎｇ）、フォールディング（ｆｏｌｄｉｎｇ）、ローリング（ｒｏｌｌｉｎｇ）などが可能なフレキシブル（ｆｌｅｘｉｂｌｅ）基板であり得る。
【００８９】
基板１１０上にはバッファ層１１５が配置され得る。バッファ層１１５は、不純物イオンが拡散することを防止し、水分や外気の浸透を防止し、表面平坦化機能を行うことができる。バッファ層１１５は、シリコン窒化物、シリコン酸化物、または、シリコン酸窒化物などを含み得る。
【００９０】
バッファ層１１５上には半導体層が配置される。半導体層は、第１薄膜トランジスタ１２０の第１活性層１２６、第２薄膜トランジスタ１４０の第２活性層１４６および補助層１６３を含み得る。半導体層は多結晶シリコン、単結晶シリコン、酸化物半導体などを含み得る。
【００９１】
半導体層上には第１ゲート絶縁層１７０が配置される。第１ゲート絶縁層１７０は半導体層を覆う。第１ゲート絶縁層１７０は、薄膜トランジスタのゲート絶縁膜として機能することができる。第１ゲート絶縁層１７０は、シリコン酸化物、シリコン窒化物、シリコン酸窒化物、アルミニウム酸化物、タンタル酸化物、ハフニウム酸化物、ジルコニウム酸化物、チタニウム酸化物などを含み得る。これらは単独でまたは互いに組合わせて使用することができる。
【００９２】
第１ゲート絶縁層１７０上には第１導電層が配置される。第１導電層は、第１ゲート絶縁層１７０を間に置いて第１薄膜トランジスタ１２０の第１活性層１２６上に配置された第１ゲート電極１２１、第２薄膜トランジスタ１４０の第２活性層１４６上に配置された第２ゲート電極１４１および補助層１６３上に配置された電源配線１６１を含み得る。第１導電層は、モリブデン（Ｍｏ）、アルミニウム（Ａｌ）、白金（Ｐｔ）、パラジウム（Ｐｄ）、銀（Ａｇ）、マグネシウム（Ｍｇ）、金（Ａｕ）、ニッケル（Ｎｉ）、ネオジム（Ｎｄ）、イリジウム（Ｉｒ）、クロム（Ｃｒ）、カルシウム（Ｃａ）、チタニウム（Ｔｉ）、タンタル（Ｔａ）、タングステン（Ｗ）、銅（Ｃｕ）の中から選ばれた一つ以上の金属を含み得る。第１導電層は単一膜または多層膜であり得る。
【００９３】
第１導電層上には第２ゲート絶縁層１８０が配置される。第２ゲート絶縁層１８０は層間絶縁膜であり得る。第２ゲート絶縁層１８０は、シリコン酸化物、シリコン窒化物、シリコン酸窒化物、ハフニウム酸化物、アルミニウム酸化物、チタニウム酸化物、タンタル酸化物、亜鉛酸化物などの無機絶縁物質からなる。
【００９４】
第２ゲート絶縁層１８０上には第２導電層が配置される。第２導電層は第２絶縁層を間に置いて第１ゲート電極１２１上に配置されたキャパシタ電極１２８を含む。キャパシタ電極１２８は、第１ゲート電極１２１と維持キャパシタをなすことができる。
【００９５】
第２導電層は、上述した第１導電層と同様にモリブデン（Ｍｏ）、アルミニウム（Ａｌ）、白金（Ｐｔ）、パラジウム（Ｐｄ）、銀（Ａｇ）、マグネシウム（Ｍｇ）、金（Ａｕ）、ニッケル（Ｎｉ）、ネオジム（Ｎｄ）、イリジウム（Ｉｒ）、クロム（Ｃｒ）、カルシウム（Ｃａ）、チタニウム（Ｔｉ）、タンタル（Ｔａ）、タングステン（Ｗ）、銅（Ｃｕ）の中から選ばれた一つ以上の金属を含み得る。
【００９６】
第２導電層上には層間絶縁層１９０が配置される。層間絶縁層１９０は層間絶縁膜であり得る。さらに、層間絶縁層１９０は、表面平坦化機能を遂行することができる。層間絶縁層１９０は、アクリル系樹脂（ｐｏｌｙａｃｒｙｌａｔｅｓ  ｒｅｓｉｎ）、エポキシ樹脂（ｅｐｏｘｙ  ｒｅｓｉｎ）、フェノール樹脂（ｐｈｅｎｏｌｉｃ  ｒｅｓｉｎ）、ポリアミド系樹脂（ｐｏｌｙａｍｉｄｅｓ  ｒｅｓｉｎ）、ポリイミド系樹脂（ｐｏｌｙｉｍｉｄｅｓ  ｒｅｉｎ）、不飽和ポリエステル系樹脂（ｕｎｓａｔｕｒａｔｅｄ  ｐｏｌｙｅｓｔｅｒｓ  ｒｅｓｉｎ）、ポリフェニレン系樹脂（ｐｏｌｙ  ｐｈｅｎｙｌｅｎｅｔｈｅｒｓ  ｒｅｓｉｎ）、ポリフェニレンスルフィド系樹脂（ｐｏｌｙｐｈｅｎｙｌｅｎｅｓｕｌｆｉｄｅｓ  ｒｅｓｉｎ）またはベンゾシクロブテン（ｂｅｎｚｏｃｙｃｌｏｂｕｔｅｎｅ，ＢＣＢ）などの有機絶縁物質を含み得る。
【００９７】
層間絶縁層１９０上には第３導電層が配置される。第３導電層は、第１薄膜トランジスタ１２０の第１ドレイン電極１２３と第１ソース電極１２４、第２薄膜トランジスタ１４０の第２ドレイン電極１４３と第２ソース電極１４４、および電源配線１６１の上部に配置された電源電極１６２を含む。
【００９８】
第１ソース電極１２４および第１ドレイン電極１２３は、それぞれ層間絶縁層１９０と第２ゲート絶縁層１８０を貫く第１コンタクトホール１２９を介して第１活性層１２６と電気的に接続され得る。第２ソース電極１４４および第２ドレイン電極１４３は、それぞれ層間絶縁層１９０と第２ゲート絶縁層１８０を貫く第２コンタクトホール１４９を介して第２活性層１４６と電気的に接続され得る。電源電極１６２は、層間絶縁層１９０と第２ゲート絶縁層１８０を貫く第３コンタクトホール１６９を介して電源配線１６１と電気的に接続され得る。
【００９９】
第３導電層は、アルミニウム（Ａｌ）、モリブデン（Ｍｏ）、白金（Ｐｔ）、パラジウム（Ｐｄ）、銀（Ａｇ）、マグネシウム（Ｍｇ）、金（Ａｕ）、ニッケル（Ｎｉ）、ネオジム（Ｎｄ）、イリジウム（Ｉｒ）、クロム（Ｃｒ）、カルシウム（Ｃａ）、チタニウム（Ｔｉ）、タンタル（Ｔａ）、タングステン（Ｗ）、銅（Ｃｕ）の中から選ばれた一つ以上の金属を含み得る。第３導電層は、単一膜または多層膜であり得る。例えば、第３導電層は、Ｔｉ／Ａｌ／Ｔｉ、Ｍｏ／Ａｌ／Ｍｏ、Ｍｏ／ＡｌＧｅ／Ｍｏ、Ｔｉ／Ｃｕなどの積層構造で形成することができる。
【０１００】
第３導電層上には絶縁基板層３００が配置される。絶縁基板層３００は、アクリル系樹脂（ｐｏｌｙａｃｒｙｌａｔｅｓ  ｒｅｓｉｎ）、エポキシ樹脂（ｅｐｏｘｙ  ｒｅｓｉｎ）、フェノール樹脂（ｐｈｅｎｏｌｉｃ  ｒｅｓｉｎ）、ポリアミド系樹脂（ｐｏｌｙａｍｉｄｅｓ  ｒｅｓｉｎ）、ポリイミド系樹脂（ｐｏｌｙｉｍｉｄｅｓ  ｒｅｉｎ）、不飽和ポリエステル系樹脂（ｕｎｓａｔｕｒａｔｅｄ  ｐｏｌｙｅｓｔｅｒｓ  ｒｅｓｉｎ）、ポリフェニレン系樹脂（ｐｏｌｙ  ｐｈｅｎｙｌｅｎｅｔｈｅｒｓ  ｒｅｓｉｎ）、ポリフェニレンスルフィド系樹脂（ｐｏｌｙｐｈｅｎｙｌｅｎｅｓｕｌｆｉｄｅｓ  ｒｅｓｉｎ）またはベンゾシクロブテン（ｂｅｎｚｏｃｙｃｌｏｂｕｔｅｎｅ，ＢＣＢ）などの有機物質からなる。絶縁基板層３００の表面は平坦である。
【０１０１】
絶縁基板層３００上には複数の隔壁（４１０，４２０，４３０）が配置され得る。複数の隔壁（４１０，４２０，４３０）は、各画素ＰＸ内で互いに離隔して対向するように配置され、互いに離隔する隔壁（４１０，４２０，４３０）、例えば、第１隔壁４１０、第２隔壁４２０および第３隔壁４３０上にはそれぞれ第１電極３１０、第２電極３２０および第３電極３３０が配置され得る。図１と図４では一つの画素ＰＸ内に３個の隔壁（４１０，４２０，４３０）が配置され、それぞれ第１電極３１０、第２電極３２０および第３電極３３０が配置される場合を示している。
【０１０２】
ただし、これに制限されず、一つの画素ＰＸ内でより多くの数の隔壁（４１０，４２０，４３０）が配置されることもできる。例えば、第１電極３１０と第２電極３２０との間により多くの数の第３電極３３０が配置される場合、そのため画素ＰＸはより多くの数の隔壁（４１０，４２０，４３０）を含むこともできる。隔壁（４１０，４２０，４３０）は、その上に第１電極３１０が配置される少なくとも一つの第１隔壁４１０と、その上に第２電極３２０が配置される少なくとも一つの第２隔壁４２０およびその上に第３電極３３０が配置される少なくとも一つの第３隔壁４３０を含むこともできる。この場合、第１隔壁４１０と第２隔壁４２０は、互いに離隔して対向するように配置され、その間には複数の第３隔壁４３０が配置され得る。また、他の場合は第１隔壁４１０、第２隔壁４２０および第３隔壁４３０が一方向に互いに交互に配置され得る。いくつかの実施形態において、二つの第１隔壁４１０が離隔して配置され、前記離隔した第１隔壁４１０の間に一つの第２隔壁４２０が配置され、第２隔壁４２０と第１隔壁４１０との間に少なくとも一つの第３隔壁４３０が配置されることもできる。
【０１０３】
一方、複数の隔壁（４１０，４２０，４３０）は、実質的に同じ物質からなり、一つの工程で形成され得る。この場合、隔壁（４１０，４２０，４３０）は、一つの格子型パターンをなすこともできる。隔壁（４１０，４２０，４３０）は、ポリイミド（ＰＩ）を含み得る。
【０１０４】
一方、図面に示していないが、複数の隔壁（４１０，４２０，４３０）のうち少なくとも一部は、各画素ＰＸの境界に配置され、これらを互いに区分することもできる。このような隔壁も上述した第１隔壁４１０、第２隔壁４２０および第３隔壁４３０と共に実質的に格子型パターンに配置され得る。各画素ＰＸの境界に配置される隔壁（４１０，４２０，４３０）のうち少なくとも一部は表示装置１０の電極ラインをカバーするように形成されることもできる。
【０１０５】
複数の隔壁（４１０，４２０，４３０）上には反射層（３１１，３２１，３３１）が配置され得る。
【０１０６】
第１反射層３１１は第１隔壁４１０を覆って、絶縁基板層３００を貫く第４コンタクトホール３１９＿１を介して第１薄膜トランジスタ１２０の第１ドレイン電極１２３と電気的に接続される。第２反射層３２１は、第２隔壁４２０を覆って、絶縁基板層３００を貫く第５コンタクトホール３１９＿２を介して電源電極１６２と電気的に接続される。第３反射層３３１は第３隔壁４３０を覆うが、両端が第１反射層３１１および第２反射層３２１と離隔するように配置される。第３反射層３３１は第１反射層３１１および第２反射層３２１とは異なり、コンタクトホールを介して薄膜トランジスタと接続されない。
【０１０７】
第１反射層３１１は、画素ＰＸ内で第４コンタクトホール３１９＿１を介して第１薄膜トランジスタ１２０の第１ドレイン電極１２３と電気的に接続され得る。したがって、第１薄膜トランジスタ１２０は画素ＰＸと重なる領域に配置され得る。図１では第１電極幹部３１０Ｓ上に配置された第１電極コンタクトホールＣＮＴＤを介して第１薄膜トランジスタ１２０と電気的に接続される場合を示している。すなわち、第１電極コンタクトホールＣＮＴＤは、第４コンタクトホール３１９＿１であり得る。
【０１０８】
第２反射層３２１も画素ＰＸ内で第５コンタクトホール３１９＿２を介して電源電極１６２と電気的に接続され得る。図４では一画素ＰＸ内で第２反射層３２１が第５コンタクトホール３１９＿２を介して接続される場合を示している。図１では第２電極幹部３２０Ｓ上の複数の第２電極コンタクトホールＣＮＴＳを介して各画素ＰＸの第２電極３２０が電源配線１６１と電気的に接続される場合を示している。すなわち、第２電極コンタクトホールＣＮＴＳは、第５コンタクトホール３１９＿２であり得る。ただし、これに制限されるものではない。例えば、図１で第２電極コンタクトホールＣＮＴＳは、第２電極幹部３２０Ｓ上でも多様な位置に配置され得、場合によっては第２電極枝部３２０Ｂ上に位置することもできる。また、いくつかの実施形態では、第２反射層３２１は、一画素ＰＸ以外の領域で一つの第２電極コンタクトホールＣＮＴＳまたは第５コンタクトホール３１９＿２と接続され得る。
【０１０９】
図５は他の実施形態による表示装置の平面図であり、図６は図５のＩＩ−ＩＩ’線とＩＩＩ−ＩＩＩ’線に沿って切断した断面図である。
【０１１０】
表示装置１０の画素ＰＸが配置された発光部以外の領域、例えば、画素ＰＸの外側部には発光素子３５０が配置されない非発光領域が存在し得る。前述したように、各画素ＰＸの第２電極３２０は、互いに第２電極幹部３２０Ｓを介して電気的に接続され、同じ電気信号の印加を受けることができる。
【０１１１】
図５および図６を参照すると、いくつかの実施形態において、第２電極３２０の場合、表示装置１０の外側部に位置した前記非発光領域で第２電極幹部３２０Ｓが一つの第２電極コンタクトホールＣＮＴＳを介して電源電極１６２と電気的に接続され得る。図１の表示装置１０とは異なり、第２電極幹部３２０Ｓが一つのコンタクトホールを介して電源電極１６２と接続されても、第２電極幹部３２０Ｓは隣接する画素ＰＸに延びて配置され、電気的に接続されているので、各画素ＰＸの第２電極枝部３２０Ｂに同じ電気信号を印加することもできる。表示装置１０の第２電極３２０の場合、電源電極１６２から電気信号の印加を受けるためのコンタクトホールの位置は表示装置１０の構造により多様であり得る。これに制限されない。
【０１１２】
一方、再び図１と図４を参照すると、反射層（３１１，３２１，３３１）は、発光素子３５０から放出される光を反射させるために、反射率が高い物質を含み得る。一例として、反射層（３１１，３２１，３３１）は、銀（Ａｇ）、銅（Ｃｕ）などのような物質を含み得るが、これに制限されるものではない。
【０１１３】
複数の隔壁（４１０，４２０，４３０）は、絶縁基板層３００を基準に少なくとも一部が突出した構造を有することができる。隔壁（４１０，４２０，４３０）は、発光素子３５０が配置された平面を基準に上部に突出することができ、前記突出した部分は少なくとも一部が傾斜を有することができる。傾斜を有して突出した構造の隔壁（４１０，４２０，４３０）は、その上に配置される反射層（３１１，３２１，３３１）が入射される光を反射させることができる。発光素子３５０で反射層（３１１，３２１，３３１）に向かう光は反射して表示装置１０の外部方向、例えば、隔壁（４１０，４２０，４３０）の上部に伝達され得る。
【０１１４】
第１反射層３１１、第２反射層３２１および第３反射層３３１上にはそれぞれ第１電極層３１２、第２電極層３２２および第３電極層３３２が配置され得る。
【０１１５】
第１電極層３１２は、第１反射層３１１のすぐ上に配置される。第１電極層３１２は、第１反射層３１１と実質的に同じパターンを有することができる。第２電極層３２２は、第２反射層３２１のすぐ上に配置される。第２電極層３２２は、第２反射層３２１と実質的に同じパターンを有することができる。第３電極層３３２は、第３反射層３３１のすぐ上に配置され、第１電極層３１２および第２電極層３２２と離隔して分離するように配置される。第３電極層３３２は、第３反射層３３１と実質的に同じパターンを有することができる。
【０１１６】
一実施形態において、電極層（３２１，３２２，３３２）は、それぞれ下部の反射層（３１１，３２１，３３１）を覆うことができる。すなわち、電極層（３２１，３２２，３３２）は、反射層（３１１，３２１，３３１）より大きく形成されて電極層（３２１，３２２，３３２）の端部の側面を覆うことができる。しかし、これに制限されるものではない。
【０１１７】
第１電極層３１２と第２電極層３２２は、それぞれ第１薄膜トランジスタ１２０または電源電極１６２と接続された第１反射層３１１と第２反射層３２１に伝達される電気信号を後述する接触電極に伝達することができる。電極層（３１２，３２２，３３２）は、透明性伝導性物質を含み得る。一例として、電極層（３１２，３２２，３３２）は、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＴＺＯ（Ｉｎｄｉｕｍ  Ｔｉｎ−Ｚｉｎｃ  Ｏｘｉｄｅ）などのような物質を含み得るが、これに制限されるものではない。いくつかの実施形態において、反射層（３１１，３２１，３３１）と電極層（３１２，３２２，３３２）は、ＩＴＯ、ＩＺＯ、ＩＴＺＯなどのような透明導電層と銀、銅のような金属層がそれぞれ一層以上積層された構造をなすことができる。一例として、反射層（３１１，３２１，３３１）と電極層（３１２，３２２，３３２）は、ＩＴＯ／銀（Ａｇ）／ＩＴＯの積層構造を形成することもできる。
【０１１８】
第１隔壁４１０上に配置される第１反射層３１１と第１電極層３１２は第１電極３１０をなす。第１電極３１０は、第１隔壁４１０の両終端で延びた領域まで突出することができ、そのため第１電極３１０は、前記突出した領域で絶縁基板層３００と接触することができる。第２隔壁４２０上に配置される第２反射層３２１と第２電極層３２２は第２電極３２０をなす。第２電極３２０は、第２隔壁４２０の両終端で延びた領域まで突出することができ、そのため第２電極３２０は、前記突出した領域で絶縁基板層３００と接触することができる。そして、第３隔壁４３０上に配置される第３反射層３３１と第３電極層３３２は第３電極３３０をなす。第３電極３３０は、第３隔壁４３０の両終端で延びた領域まで突出することができ、そのため第３電極３３０は、前記突出した領域で絶縁基板層３００と接触することができる。
【０１１９】
第１電極３１０、第２電極３２０と第３電極３３０は、それぞれ第１隔壁４１０と第２隔壁４２０、第３隔壁４３０の全領域をカバーするように配置され得る。ただし、前述したように、第１電極３１０と第３電極３３０、第３電極３３０と第２電極３２０は、互いに離隔して対向するように配置される。各電極が離隔した間には後述するように第１絶縁層３８１が配置され、その上部に発光素子３５０が配置され得る。
【０１２０】
また、第１反射層３１１は、第１薄膜トランジスタ１２０から駆動電圧の伝達を受けることができ、第２反射層３２１は、電源配線１６１から電源電圧の伝達を受け得るので、第１電極３１０と第２電極３２０は、それぞれ駆動電圧と電源電圧の伝達を受ける。後述するように、第１電極３１０は、第１薄膜トランジスタ１２０と電気的に接続され、第２電極３２０は、電源配線１６１と電気的に接続され得る。そのため、第１電極３１０と第２電極３２０上に配置される第１接触電極３６１および第２接触電極３６２は前記駆動電圧と電源電圧の印加を受けることができる。第１電極３１０と第２電極３２０との間に配置された第３電極３３０は、その上に配置される第３接触電極３６３を介して前記駆動電圧と電源電圧を発光素子３５０に伝達し、発光素子３５０に所定の電流が流れることにより、光を放出することができる。
【０１２１】
第１電極３１０、第２電極３２０および第３電極３３０の一部領域上には第１絶縁層３８１が配置される。第１絶縁層３８１は、第１電極３１０と第３電極３３０、第３電極３３０と第２電極３２０との間の空間内に配置され得る。第１絶縁層３８１は、平面上第１電極枝部３１０Ｂ、第２電極枝部３２０Ｂおよび第３電極３３０の間の空間について形成された島状または線状形状を有することができる。
【０１２２】
第１絶縁層上には発光素子３５０が配置される。第１絶縁層３８１は、発光素子３５０と絶縁基板層３００との間に配置され得る。第１絶縁層３８１の下面は、絶縁基板層３００に接触し、第１絶縁層３８１の上面に発光素子３５０が配置され得る。そして、第１絶縁層３８１は、両側面で各電極（３１０，３２０，３３０）と接触し、これらを電気的に相互絶縁させることができる。
【０１２３】
第１絶縁層３８１は、各電極（３１０，３２０，３３０）の一部領域、例えば、第１電極３１０と第３電極３３０が対向する方向に突出した領域、第３電極３３０と第２電極３２０が対向する方向に突出した領域のうち一部と重なることができる。また、各電極（３１０，３２０，３３０）上の領域のうち、隔壁（４１０，４２０，４３０）の傾斜した側面にも第１絶縁層３８１が配置され得る。そのため、第１絶縁層３８１の下面は、絶縁基板層３００と各電極（３１０，３２０，３３０）に接触することができる。第１絶縁層３８１の少なくとも一側部も各電極（３１０，３２０，３３０）と接触することができる。各電極（３１０，３２０，３３０）は、第１絶縁層３８１が配置されない上部の一部の面が露出し得る。また、第１絶縁層３８１は、発光素子３５０の両側部は露出するように配置され得る。そのため、後述する接触電極（３６１，３６２，３６３）は、前記各電極（３１０，３２０，３３０）の露出した上部面と発光素子３５０の両側部と接触することができる。
【０１２４】
一例として、第１絶縁層３８１は、第１電極３１０、第２電極３２０と第３電極３３０が互いに対向する方向に突出した領域の上部面を覆うことができる。第１絶縁層３８１は、各電極（３１０，３２０，３３０）と重なる領域を保護すると同時に、これらを電気的に相互絶縁させることができる。また、発光素子３５０の第１導電型半導体層３５１および第２導電型半導体層３５２が他の基材と直接接触することを防止して発光素子３５０の損傷を防止することができる。
【０１２５】
発光素子３５０は第１電極３１０と第３電極３３０との間、第３電極３３０と第２電極３２０との間に少なくとも一つ配置され得る。そのため、複数の発光素子３５０は直列接続をなすことができる。図１では各画素ＰＸ内に同じ色の光を放出する発光素子３５０のみが配置された場合を例示している。ただし、これに制限されず前述したように互いに異なる色の光を放出する発光素子３５０が一つの画素ＰＸ内に共に配置されることもできる。
【０１２６】
前述したように、第１電極３１０と第３電極３３０との間の間隔、第３電極３３０と第２電極３２０との間の間隔は、発光素子３５０の長さより小さいか同じであり得る。そのために第１電極３１０、第２電極３２０および第３電極３３０と発光素子３５０との間の電気的接触が円滑に行われる。
【０１２７】
発光素子３５０は、発光ダイオード（Ｌｉｇｈｔ  Ｅｍｉｔｔｉｎｇ  ｄｉｏｄｅ）であり得る。発光素子３５０はその大きさが概してナノ単位であるナノ構造物であり得る。発光素子３５０は、無機物からなる無機発光ダイオードであり得る。発光素子３５０が無機発光ダイオードである場合、互いに対向する二つの電極の間に無機結晶構造を有する発光物質を配置して発光物質に特定方向に電界を形成すると、無機発光ダイオードが特定極性が形成される前記二つの電極の間に整列され得る。
【０１２８】
図４の拡大図を参照すると、後述するようにいくつかの実施形態における発光素子３５０は、第１導電型半導体層３５１、活性物質層３５３、第２導電型半導体層３５２および電極物質層３５７が積層された構造を有することができる。発光素子３５０の前記積層順は絶縁基板層３００に水平である方向に第１導電型半導体層３５１、活性物質層３５３、第２導電型半導体層３５２および電極物質層３５７が配置され得る。すなわち、前記複数の層が積層された発光素子３５０は、絶縁基板層３００と水平の横方向に配置され得る。ただし、これに制限されず、発光素子３５０の前記積層順は逆であり得る。
【０１２９】
また、一実施形態において、発光素子３５０の第１導電型半導体層３５１は、第１電極３１０または第３電極３３０の第２電極３２０に対向する一側部と電気的に接続され、発光素子３５０の第２導電型半導体層３５２または電極物質層３５７は第３電極３３０の他側部または第２電極３２０と電気的に接続され得る。発光素子３５０の構造に対するより詳細な説明は後述する。
【０１３０】
第２絶縁層３８２は、発光素子３５０上に配置され、発光素子３５０を保護して各電極（３１０，３２０，３３０）の間で発光素子３５０を固定させることができる。図４には示していないが、発光素子３５０の外面にも第２絶縁層３８２が配置されて発光素子３５０を固定させることができる。第２絶縁層３８２は、発光素子３５０の外面のうち一部領域に配置され、発光素子３５０の両側面は露出するように配置され得る。すなわち、第２絶縁層３８２の長さが発光素子３５０より短く、第２絶縁層３８２は発光素子３５０の前記両側面より内側に陥没することができる。そのため、第１絶縁層３８１、発光素子３５０および第２絶縁層３８２は、側面が階段式に積層することができる。この場合、第１絶縁層３８１のように、第２絶縁層３８２が配置されることによって接触電極（３６１，３６２，３６３）は発光素子３５０の側面で円滑に接触が行われ得る。ただし、これに制限されず、第２絶縁層３８２の長さと発光素子３５０の長さが一致して両側部が整列され得る。
【０１３１】
第２絶縁層３８２上には第１電極３１０上に配置され、第２絶縁層３８２の少なくとも一部と重なる第１接触電極３６１、第２電極３２０上に配置され、第２絶縁層３８２の少なくとも一部と重なる第２接触電極３６２、および第３電極３３０上に配置され、第１接触電極３６１および第２接触電極３６２と離隔して配置される第３接触電極３６３が配置され得る。
【０１３２】
第１接触電極３６１と第２接触電極３６２は、それぞれ第１電極３１０と第２電極３２０の上部面に配置され得る。具体的には、第１接触電極３６１と第２接触電極３６２は、第１電極３１０と第２電極３２０の上部面でそれぞれ第１電極層３１２および第２電極層３２２と接触することができる。第１接触電極３６１と第２接触電極３６２は、発光素子３５０の第１導電型半導体層３５１および第２導電型半導体層３５２にそれぞれ接触することができる。そのため、第１接触電極３６１および第２接触電極３６２は、第１電極層３１２および第２電極層３２２に印加された電気信号を発光素子３５０に伝達することができる。
【０１３３】
第１接触電極３６１は、第１電極３１０上でこれを部分的にカバーするように配置され、下面が部分的に発光素子３５０、第１絶縁層３８１および第２絶縁層３８２と接触することができる。第１接触電極３６１の第３電極３３０が配置された方向の一端部は第２絶縁層３８２上に配置される。第２接触電極３６２は、第２電極３２０上でこれを部分的にカバーするように配置され、下面が部分的に発光素子３５０、第１絶縁層３８１および第２絶縁層３８２と接触することができる。第２接触電極３６２の第３電極３３０が配置された方向の一端部は第２絶縁層３８２上に配置される。
【０１３４】
図１に示すように、第１電極幹部３１０Ｓと第２電極幹部３２０Ｓ上に配置される第１電極コンタクトホールＣＮＴＤと第２電極コンタクトホールＣＮＴＳ上には第１接触電極３６１または第２接触電極３６２が配置されない。すなわち、図４でも第１接触電極３６１と第２接触電極３６２は、それぞれ第１電極コンタクトホールＣＮＴＤと第２電極コンタクトホールＣＮＴＳが配置された領域と重ならない。ただし、これに制限されるものではなく、場合によって第１接触電極３６１および第２接触電極３６２一部はそれぞれ第１電極３１０と第２電極３２０上で第１電極コンタクトホールＣＮＴＤまたは第２電極コンタクトホールＣＮＴＳと重なる領域に配置されることもできる。
【０１３５】
第３接触電極３６３は、第３電極３３０上でこれを部分的にカバーするように配置され、下面が部分的に発光素子３５０、第１絶縁層３８１および第３絶縁層３８３と接触することができる。第３接触電極３６３が、第１電極３１０および第２電極３２０が配置された方向の両端部は第３絶縁層３８３上に配置される。
【０１３６】
第１接触電極３６１および第２接触電極３６２は、第２絶縁層３８２または第３絶縁層３８３上で第３接触電極３６３と互いに離隔して配置され得る。すなわち、第１接触電極３６１および第２接触電極３６２と第３接触電極３６３は、発光素子３５０と第２絶縁層３８２または第３絶縁層３８３に共に接触するが、第２絶縁層３８２上では積層された方向に離隔して配置されることによって相互接続されない。これにより第１接触電極３６１と第２接触電極３６２が第１薄膜トランジスタ１２０と電源配線１６１で互いに異なる電源の印加を受けることができる。一例として、第１接触電極３６１は、第１薄膜トランジスタ１２０で第１電極３１０に印加される駆動電圧を、第２接触電極３６２は電源配線１６１で第２電極３２０に印加される共通電源電圧の印加を受けることができる。ただし、これに制限されるものではない。
【０１３７】
接触電極（３６１，３６２，３６３）は、伝導性物質を含み得る。例えば、ＩＴＯ、ＩＺＯ、ＩＴＺＯ、アルミニウム（Ａｌ）などを含み得る。ただし、これに制限されるものではない。
【０１３８】
また、接触電極（３６１，３６２，３６３）は、電極層（３１２，３２２，３３２）と同じ物質を含み得る。接触電極（３６１，３６２，３６３）は、電極層（３１２，３２２，３３２）にコンタクトされ得るように、電極層（３１２，３２２，３３２）上で実質的に同じパターンに配置され得る。一例として、第１電極層３１２と第２電極層３２２にコンタクトされる第１接触電極３６１と第２接触電極３６２は第１電極層３１２および第２電極層３２２に印加される電気信号の伝達を受けて発光素子３５０に伝達することができる。
【０１３９】
第３絶縁層３８３は、第１接触電極３６１と第２接触電極３６２の上部に配置され、第１接触電極３６１および第２接触電極３６２を第３接触電極３６３と電気的に相互絶縁させることができる。第３絶縁層３８３は、第１接触電極３６１と第２接触電極３６２を覆うように配置され、発光素子３５０が第３接触電極３６３とコンタクトされるように発光素子３５０の一部領域には重ならないように配置され得る。第３絶縁層３８３は、第２絶縁層３８２の上部面で第１接触電極３６１、第２接触電極３６２および第２絶縁層３８２と部分的に接触することができる。第３絶縁層３８３は、第２絶縁層３８２の上部面で第１接触電極３６１と第２接触電極３６２の一端部をカバーするように配置され得る。そのため第３絶縁層３８３は、第１接触電極３６１および第２接触電極３６２を保護すると同時に、第３接触電極３６３と電気的に絶縁させることができる。
【０１４０】
第３絶縁層３８３の第３電極３３０が配置された方向の一端部は第２絶縁層３８２の一側面と整列することができる。
【０１４１】
一方、いくつかの実施形態において、表示装置１０は、第３絶縁層３８３が省略されることもできる。そのため、第１接触電極３６１、第２接触電極３６２と第３接触電極３６３は、実質的に同じ平面上に配置され得、後述するパッシベーション層３８５により第１接触電極３６１、第２接触電極３６２および第３接触電極３６３は電気的に相互絶縁することができる。これに対する詳細な説明は他の実施形態が参照される。
【０１４２】
パッシベーション層３８５は、第３絶縁層３８３および第３接触電極３６３の上部に形成され、外部環境に対して絶縁基板層３００上に配置される部材を保護する機能をすることができる。第１接触電極３６１、第２接触電極３６２および第３接触電極３６３が露出する場合、電極損傷によって接触電極材料の断線問題が発生し得るので、パッシベーション層３８５でこれらをカバーすることができる。すなわち、パッシベーション層３８５は、第１電極３１０、第２電極３２０、第３電極３３０、発光素子３５０などをカバーするように配置され得る。また、前述したように、第３絶縁層３８３が省略される場合、パッシベーション層３８５は、第１接触電極３６１、第２接触電極３６２と第３接触電極３６３の上部に形成することができる。この場合、パッシベーション層３８５は、第１接触電極３６１、第２接触電極３６２と第３接触電極３６３を電気的に相互絶縁させることもできる。
【０１４３】
上述した第１絶縁層３８１、第２絶縁層３８２、第３絶縁層３８３およびパッシベーション層３８５それぞれは、無機物絶縁性物質を含み得る。例えば、第１絶縁層３８１、第２絶縁層３８２、第３絶縁層３８３およびパッシベーション層３８５は、シリコン酸化物（ＳｉＯｘ）、シリコン窒化物（ＳｉＮｘ）、シリコン酸窒化物（ＳｉＯｘＮｙ）、酸化アルミニウム（Ａｌ２Ｏ３）、窒化アルミニウム（ＡｌＮ）などのような物質を含み得る。第１絶縁層３８１、第２絶縁層３８２、第３絶縁層３８３およびパッシベーション層３８５は、同じ物質からなってもよく、互いに異なる物質からなってもよい。その他、第１絶縁層３８１、第２絶縁層３８２、第３絶縁層３８３およびパッシベーション層３８５に絶縁性を付与する多様な物質が適用可能である。
【０１４４】
一方、発光素子３５０は、基板上でエピタキシャル（Ｅｐｉｔａｘｉａｌ）成長法によって製造されることができる。基板上に半導体層を形成するためのシード結晶（Ｓｅｅｄ  ｃｒｙｓｔａｌ）層を形成し、所望する半導体材料を蒸着させて成長させることができる。以下、図７ないし図９を参照して多様な実施形態による発光素子３５０の構造について詳細に説明する。
【０１４５】
図７は一実施形態による発光素子の概略図である。
【０１４６】
図７を参照すると、発光素子３５０は、複数の導電性物質層３５１，３５２および前記複数の導電性物質層３５１，３５２の間に配置される活性物質層３５３、電極物質層３５７および絶縁性物質層３５８を含み得る。第１電極３１０および第２電極３２０から印加される電気信号は複数の導電性物質層３５１，３５２を介して活性物質層３５３に伝達されて光を放出することができる。
【０１４７】
具体的には、発光素子３５０は、第１導電型半導体層３５１、第２導電型半導体層３５２、第１導電型半導体層３５１と第２導電型半導体層３５２との間に配置される活性物質層３５３、第２導電型半導体層３５２上に配置される電極物質層３５７および絶縁性物質層３５８を含み得る。図７の発光素子３５０は、第１導電型半導体層３５１、活性物質層３５３、第２導電型半導体層３５２および電極物質層３５７が長さ方向に順次積層された構造を示しているが、これに制限されない。電極物質層３５７は省略することができ、いくつかの実施形態では第１導電型半導体層３５１および第２導電型半導体層３５２の両側面のうち少なくともいずれか一つに配置されることもできる。以下では、図７の発光素子３５０を例示して説明する。
【０１４８】
第１導電型半導体層３５１はｎ型半導体層であり得る。一例として、発光素子３５０が青色波長帯の光を放出する場合、第１導電型半導体層３５１は、ＩｎｘＡｌｙＧａ１−ｘ−ｙＮ（０≦ｘ≦１，０≦ｙ≦１，０≦ｘ＋ｙ≦１）の化学式を有する半導体材料であり得る。例えば、ｎ型にドーピングされたＩｎＡｌＧａＮ、ＧａＮ、ＡｌＧａＮ、ＩｎＧａＮ、ＡｌＮおよびＩｎＮのうちいずれか一つ以上であり得る。第１導電型半導体層３５１は、第１導電性ドーパントがドーピングされ得、一例として第１導電性ドーパントはＳｉ、Ｇｅ、Ｓｎなどであり得る。第１導電型半導体層３５１の長さは１．５μｍ〜５μｍの範囲を有し得るが、これに制限されるものではない。
【０１４９】
第２導電型半導体層３５２はｐ型半導体層であり得る。一例として、発光素子３５０が青色波長帯の光を放出する場合、第２導電型半導体層３５２は、ＩｎｘＡｌｙＧａ１−ｘ−ｙＮ（０≦ｘ≦１，０≦ｙ≦１，０≦ｘ＋ｙ≦１）の化学式を有する半導体材料であり得る。例えば、ｐ型にドーピングされたＩｎＡｌＧａＮ、ＧａＮ、ＡｌＧａＮ、ＩｎＧａＮ、ＡｌＮおよびＩｎＮのうちいずれか一つ以上であり得る。第２導電型半導体層３５２は、第２導電性ドーパントがドーピングされ得、一例として第２導電性ドーパントは、Ｍｇ、Ｚｎ、Ｃａ、Ｓｅ、Ｂａなどであり得る。第２導電型半導体層３５２の長さは、０．０８μｍ〜０．２５μｍの範囲を有し得るが、これに制限されるものではない。
【０１５０】
活性物質層３５３は、第１導電型半導体層３５１および第２導電型半導体層３５２の間に配置され、単一または多重量子井戸構造の物質を含み得る。活性物質層３５３が多重量子井戸構造の物質を含む場合、量子層（Ｑｕａｎｔｕｍ  ｌａｙｅｒ）と井戸層（Ｗｅｌｌ  ｌａｙｅｒ）が互いに交互に複数積層された構造であり得る。活性物質層３５３は、第１導電型半導体層３５１および第２導電型半導体層３５２を介して印加される電気信号に応じて電子−正孔対の結合によって光を発光することができる。一例として、活性物質層３５３が青色波長帯の光を放出する場合、ＡｌＧａＮ、ＡｌＩｎＧａＮなどの物質を含み得、特に、活性物質層３５３が多重量子井戸構造で、量子層と井戸層が交互に積層された構造である場合、量子層はＡｌＧａＮまたはＡｌＩｎＧａＮ、井戸層はＧａＮまたはＡｌＧａＮなどのような物質を含み得る。ただし、これに制限されるものではなく、活性物質層３５３は、バンドギャップ（Ｂａｎｄ  ｇａｐ）エネルギが大きい種類の半導体物質とバンドギャップエネルギが小さい半導体物質が互いに交互に積層された構造であり得、発光する光の波長帯によって異なる３族ないし５族半導体物質を含むこともできる。そのため、活性物質層３５３が放出する光は青色波長帯の光に制限されず、場合によって赤色、緑色波長帯の光を放出することもできる。活性物質層３５３の長さは、０．０５μｍ〜０．２５μｍの範囲を有し得るが、これに制限されるものではない。
【０１５１】
活性物質層３５３から放出される光は、発光素子３５０の長さ方向の外部面だけではなく、両側面に放出されることができる。すなわち、活性物質層３５３から放出される光は一方向に方向性が制限されない。
【０１５２】
電極物質層３５７はオーミック（ｏｈｍｉｃ）接触電極であり得る。ただし、これに制限されず、ショットキー（Ｓｃｈｏｔｔｋｙ）接触電極であり得る。電極物質層３５７は伝導性のある金属を含み得る。例えば、電極物質層３５７は、アルミニウム（Ａｌ）、チタニウム（Ｔｉ）、インジウム（Ｉｎ）、金（Ａｕ）および銀（Ａｇ）のうち少なくともいずれか一つを含み得る。電極物質層３５７は同じ物質を含んでもよく、互いに異なる物質を含んでもよい。ただし、これに制限されるものではない。
【０１５３】
絶縁性物質層３５８は、発光素子３５０の外部に形成されて発光素子３５０を保護することができる。一例として、絶縁性物質層３５８は、発光素子３５０の側面部を囲むように形成され、発光素子３５０の長さ方向の両端部、例えば第１導電型半導体層３５１および第２導電型半導体層３５２が配置された両端部には形成されない。ただし、これに制限されない。絶縁性物質層３５８は、絶縁特性を有する物質、例えば、シリコン酸化物（Ｓｉｌｉｃｏｎ  ｏｘｉｄｅ，ＳｉＯｘ）、シリコン窒化物（Ｓｉｌｉｃｏｎ  ｎｉｔｒｉｄｅ，ＳｉＮｘ）、酸窒化シリコン（ＳｉＯｘＮｙ）、窒化アルミニウム（Ａｌｕｍｉｎｕｍ  ｎｉｔｒｉｄｅ，ＡｌＮ）、酸化アルミニウム（Ａｌｕｍｉｎｕｍ  ｏｘｉｄｅ，Ａｌ２Ｏ３）などを含み得る。そのため活性物質層３５３が第１電極３１０または第２電極３２０と直接接触する場合に発生し得る電気的短絡を防止することができる。また、絶縁性物質層３５８は、活性物質層３５３を含み発光素子３５０の外部面を保護するので、発光効率の低下を防止することができる。
【０１５４】
絶縁性物質層３５８は、長さ方向に延びて第１導電型半導体層３５１から電極物質層３５７までカバーできるように形成され得る。ただし、これに制限されず絶縁性物質層３５８は、第１導電型半導体層３５１、活性物質層３５３および第２導電型半導体層３５２のみをカバーしたり、電極物質層３５７の外面の一部のみをカバーして電極物質層３５７の一部外面が露出することもできる。
【０１５５】
また、いくつかの実施形態において、絶縁性物質層３５８は、溶液内で他の絶縁性物質層３５８と凝集せず分散するように表面処理することができる。後述する発光素子３５０の整列時、溶液内の発光素子３５０が分散した状態を保持して第１電極３１０、第２電極３２０と第３電極３３０との間に独立して整列され得る。一例として、絶縁性物質層３５８は、表面が疎水性または親水性処理されて前記溶液内で相互分散した状態を保持することができる。
【０１５６】
絶縁性物質層３５８の厚さは、０．５μｍ〜１．５μｍの範囲を有し得るが、これに制限されるものではない。
【０１５７】
発光素子３５０は円筒形であり得る。ただし、発光素子３５０の形状はこれに制限されるものではなく、正六面体、直六面体、六角柱型など多様な形態を有することができる。発光素子３５０は、長さが１μｍ〜１０μｍまたは２μｍ〜５μｍの範囲を有することができ、好ましくは４μｍ内外の長さを有することができる。また、発光素子３５０の直径は、４１０ｎｍ〜７００ｎｍの範囲を有することができ、好ましくは５００ｎｍ内外の厚さを有することができる。
【０１５８】
以下では、図８〜１０を参照して一実施形態による表示装置１０の製造方法について説明する。
【０１５９】
図８〜図１０は一実施形態による表示装置の製造方法を概略的に示す平面図である。
【０１６０】
先に、図８を参照すると、絶縁基板層３００上に複数の電極（３１０，３２０，３３０）を形成する。複数の電極（３１０，３２０，３３０）を形成する段階は、通常のマスク工程を行って金属または有機物などをパターニングすることによって形成することができる。
【０１６１】
図１を参照して前述したように、第１電極幹部３１０Ｓと第２電極幹部３２０Ｓは、第１方向Ｄ１に延びるが、互いに離隔して対向するように配置される。図１では第１電極幹部３１０Ｓが隣り合う画素ＰＸの間で電気的に分離して離隔した状態を示すが、図８では第１電極幹部３１０Ｓも一端部が隣接する複数の画素ＰＸに延びることができる。第１電極幹部３１０Ｓと第２電極幹部３２０Ｓの一端部は、信号印加パッドＰＡＤと接続されて後述する発光素子３５０の整列時交流電源が印加され得る。
【０１６２】
第１電極枝部３１０Ｂと第２電極枝部３２０Ｂは、それぞれ第１電極幹部３１０Ｓと第２電極幹部３２０Ｓで分枝されて第２方向Ｄ２に延びる。前述したように、第１電極枝部３１０Ｂと第２電極枝部３２０Ｂは、互いに逆方向に延びるが、それぞれ第２電極幹部３２０Ｓと第１電極幹部３１０Ｓで離隔した状態で終止する。
【０１６３】
第３電極３３０は、第１電極枝部３１０Ｂと第２電極枝部３２０Ｂとの間で離隔し、第２方向Ｄ２に延びて配置される。図１のように、第３電極３３０は、第１電極枝部３１０Ｂおよび第２電極枝部３２０Ｂと実質的に平行に対向するように配置される。ただし、第１電極幹部３１０Ｓまたは第２電極幹部３２０Ｓと電気的に接続されないので、信号印加パッドＰＡＤから印加される交流電源が直接伝達されない。
【０１６４】
すなわち、図８の第１電極３１０と第２電極３２０は、図１の第１電極３１０および第２電極３２０に比べて第１電極幹部３１０Ｓが隣り合う画素ＰＸに延びて各画素ＰＸの第１電極幹部３１０Ｓと電気的に接続されたことを除いては同一である。これに対する詳しい説明は省略する。
【０１６５】
次に、図９を参照すると、前記電極（３１０，３２０，３３０）の間に発光素子３５０を整列する。
【０１６６】
図面に示していないが、第１電極枝部３１０Ｂと第２電極枝部３２０Ｂとの間に発光素子３５０を含む溶液を塗布する。ここで、第１電極幹部３１０Ｓと第２電極幹部３２０Ｓの一端部に接続された信号印加パッドＰＡＤで交流電源を印加して発光素子３５０を整列させる。
【０１６７】
信号印加パッドＰＡＤで印加される交流電源は、第１電極枝部３１０Ｂと第２電極枝部３２０Ｂとの間に電場によるキャパシタンスを形成することができる。前記塗布された溶液内の発光素子３５０は電場によるキャパシタンスによって誘電泳動力（Ｄｉｅｌｅｃｔｒｏｐｈｏｒｅｓｉｓ  Ｆｏｒｃｅ，ＤＥＰ  Ｆｏｒｃｅ）を受けることができる。発光素子３５０は、誘電泳動力によって第１電極枝部３１０Ｂと第３電極３３０との間、第３電極３３０と第２電極枝部３２０Ｂとの間に整列されることができる。誘電泳動力（ＤＥＰ  Ｆｏｒｃｅ）を受ける発光素子３５０は、一端部が第１電極枝部３１０Ｂまたは第２電極枝部３２０Ｂに接続され、発光素子３５０の他端部は第３電極３３０の両側面でそれぞれ接続され得る。
【０１６８】
前記キャパシタンスによって発光素子３５０に印加される誘電泳動力は、発光素子３５０が各電極（３１０，３２０，３３０）の間で一定方向性を有するようにすることができる。例えば、発光素子３５０の第１導電型半導体層３５１は、第１電極枝部３１０Ｂまたは第３電極３３０の第２電極枝部３２０Ｂ方向の一側面で接続され、第２導電型半導体層３５２は第２電極枝部３２０Ｂまたは第３電極３３０の他側面で接続されることもできる。ただし、これに制限されるものではなく、発光素子３５０は、各電極（３１０，３２０，３３０）の間で任意の方向に整列されることもできる。
【０１６９】
発光素子３５０の配置に対する詳しい説明は図１を参照して上述したとおりである。
【０１７０】
次に、図１０を参照すると、各電極（３１０，３２０，３３０）の間に発光素子３５０を整列した後、各電極（３１０，３２０，３３０）上に接触電極３６０を形成して発光素子３５０と接触させる。図面に示していないが、図４に示すように、各電極（３１０，３２０，３３０）上には複数の絶縁層が配置され得る。接触電極３６０は、前述したように発光素子３５０の両側部と各電極（３１０，３２０，３３０）の隔壁（４１０，４２０，４３０）上の上部面で接触することができる。
【０１７１】
最後に、図１０に示すように、切断部ＣＢに沿って第１電極幹部３１０Ｓを電気的に分離して図１の表示装置１０を製造することができる。第１電極幹部３１０Ｓを電気的に分離する方法は特に制限されない。一例として、レーザを用いて切断部ＣＢに位置した第１電極３１０を断線させることができる。そのため、第１電極幹部３１０Ｓは隣り合う画素ＰＸの間に電気的に分離して離隔した状態に配置され得る。
【０１７２】
また、第１電極幹部３１０Ｓ上の第１電極コンタクトホールＣＮＴＤおよび第２電極幹部３２０Ｓ上の第２電極コンタクトホールＣＮＴＳを介して第１電極３１０と第２電極３２０は上述した第１薄膜トランジスタ１２０および電源電極１６２と電気的に接続され得る。そのため、第１電極３１０と第２電極３２０との間には駆動電圧と電源電圧による電流が流れることができ、第１電極３１０と第３電極３３０との間、第３電極３３０と第２電極３２０との間に配置された発光素子３５０は直列に接続され得る。
【０１７３】
以上で説明した通り、一実施形態による表示装置１０は、第１電極枝部３１０Ｂと第２電極枝部３２０Ｂとの間に第３電極３３０を配置し、各電極の間に配置された発光素子３５０の整列が直列に接続され得る。そのため、表示装置１０の駆動において、電圧分配効率や薄膜トランジスタの容量設計、導線抵抗による損失などを改善することができる。
【０１７４】
以下では、表示装置１０の他の実施形態について説明する。図１１ないし図１３は他の実施形態による表示装置を概略的に示す平面図である。
【０１７５】
先に、図１１および図１２を参照すると、前述したように表示装置１０は複数の第３電極３３０を含み得る。図１１の表示装置１０＿１は、第１電極枝部３１０Ｂ＿１と第２電極枝部３２０Ｂとの間に二つの第３電極３３０＿１を含み得る。そのため、発光素子３５０は、第１電極３１０＿１と第３電極３３０＿１、第３電極３３０＿１と第３電極３３０＿１、第３電極３３０＿１と第２電極３２０＿１との間に整列され得る。直列に接続された発光素子３５０の整列は３個であり得る。図１２の表示装置１０＿２は、６個の第３電極３３０＿２を含み、直列に接続された発光素子３５０の整列は７個であり得る。
【０１７６】
図１と比較すると、第３電極３３０の数によって直列に接続された発光素子３５０の整列数が変わる。表示装置１０の一画素ＰＸ内に第３電極３３０を奇数個含む場合、各画素ＰＸで直列に接続された発光素子３５０の整列は偶数個であり得る。逆に第３電極３３０が偶数個含む場合、直列に接続された発光素子３５０の整列は奇数個であり得る。
【０１７７】
すなわち、表示装置１０がｎ個の第３電極３３０を含む場合、直列に接続された発光素子３５０の整列はｎ＋１個であり得る。第３電極３３０の数が増加するほど、直列に接続された発光素子３５０の整列も増加し、電圧分配効率や導線抵抗による電力損失をさらに改善することができる。
【０１７８】
図１３はまた他の実施形態による表示装置の平面図である。
【０１７９】
図１３を参照すると、表示装置１０＿３は、一つの第２電極３２０＿３と互いに離隔された二つの第１電極３１０＿３を含み、第１電極３１０＿３の間に第２電極３２０＿３が配置され得る。また、第１電極３１０＿３と第２電極３２０＿３との間には複数の第３電極３３０＿３が配置され得る。図１３では第１電極３１０＿３と第２電極３２０＿３との間に二つの第３電極３３０＿３が配置された場合を示しているが、これに制限されない。
【０１８０】
具体的には、表示装置１０＿３は、第１電極幹部３１０Ｓ＿３で分枝される複数の第１電極枝部３１０Ｂ＿３を含み得る。図１３では一画素ＰＸ内で２個の第１電極枝部３１０Ｂ＿３が互いに離隔して分枝された場合を示しているが、これに制限されない。より多くの数の第１電極枝部３１０Ｂ＿３が分枝されることもできる。
【０１８１】
第２電極幹部３１０Ｓ＿３は、一画素ＰＸ内で一つの第２電極枝部３２０＿Ｂが分枝され得る。第２電極枝部３２０Ｂ＿３は、二つの第１電極枝部３１０Ｂ＿３の間で同じ間隔で離隔して配置され得る。すなわち、第２電極枝部３２０Ｂ＿３は、互いに離隔する第１電極枝部３１０Ｂ＿３の間の中央に配置され得る。したがって、表示装置１０＿３の一画素ＰＸは、第２電極枝部３２０Ｂ＿３を基準に左右対称構造をなすことができる。ただし、これに制限されず、第２電極枝部３２０Ｂ＿３が第１電極枝部３１０Ｂ＿３の一側にさらに隣接するように配置され、対称構造でなくてもよい。
【０１８２】
第３電極３３０＿３は、第２電極枝部３２０Ｂ＿３と二つの第１電極枝部３１０Ｂ＿３との間にそれぞれ配置され得る。図１３では第３電極枝部３３０Ｂ＿３が第２電極枝部３２０Ｂ＿３の両側にそれぞれ２個ずつ配置され、一画素ＰＸ内に４個の第３電極３３０＿３が配置された場合を示している。ただし、これに制限されず、より多くの数の第３電極３３０＿３が配置され得ることは自明である。
【０１８３】
発光素子３５０は、第１電極枝部３１０Ｂ＿３と第３電極３３０＿３との間、第３電極３３０＿３と第３電極３３０＿３との間、および第３電極３３０＿３と第２電極枝部３２０Ｂ＿３との間に配置され得る。説明の便宜上、図面で第２電極枝部３２０Ｂ＿３の左側部に配置された第１電極枝部３１０Ｂ＿３、第３電極３３０＿３および第２電極枝部３２０Ｂ＿３の間に配置された発光素子の整列を第１発光素子整列３５０Ａ＿１といい、図面で第２電極枝部３２０Ｂ＿３の右側部に配置された第１電極枝部３１０Ｂ＿３、第３電極３３０＿３および第２電極枝部３２０Ｂ＿３の間に配置された整列を第２発光素子整列３５０Ａ＿２という。
【０１８４】
第２電極枝部３２０Ｂ＿３の左側には一つ以上の第３電極３３０＿３が配置されているので、第１発光素子整列３５０Ａ＿１は少なくとも一つ以上の発光素子整列を含み得る。第２電極枝部３２０Ｂ＿３の右側にも一つ以上の第３電極３３０＿３が配置されているので、第２発光素子整列３５０Ａ＿２も少なくとも一つ以上の発光素子整列を含み得る。第１発光素子整列３５０Ａ＿１と第２発光素子整列３５０Ａ＿２は、それぞれ一つ以上の発光素子整列が直列に接続され得る。直列に接続された発光素子整列に第１電極枝部３１０Ｂ＿３から第３電極３３０＿３、第２電極枝部３２０Ｂ＿３に電流が流れる。
【０１８５】
一方、第２電極枝部３２０Ｂ＿３を基準に、左側と右側に配置された第１発光素子整列３５０Ａ＿１と第２発光素子整列３５０Ａ＿２は、互いに並列に接続され得る。第１発光素子整列３５０Ａ＿１と第２発光素子整列３５０Ａ＿２は、それぞれ互いに異なる第１電極枝部３１０Ｂ＿３から同じ第２電極枝部３２０Ｂ＿３に電流が流れるので、これらそれぞれは並列に接続され得る。すなわち、本実施形態の表示装置１０＿３は、発光素子３５０の整列が直並列構造を有することができる。
【０１８６】
一方、前述したように、第３電極３３０は、実質的に第１電極枝部３１０Ｂまたは第２電極枝部３２０Ｂと同一のものであり得る。いくつかの実施形態において、第３電極３３０は、複数の第１電極枝部３１０Ｂと第２電極枝部３２０Ｂがそれぞれ第１電極幹部３１０Ｓおよび第２電極幹部３２０Ｓと電気的に分離して形成されたものであり得る。これに対するより詳しい説明は図１４ないし図１９が参照される。
【０１８７】
図１４はまた他の実施形態による表示装置の平面図である。
【０１８８】
図１４を参照すると、表示装置１０＿４は、第１電極幹部３１０Ｓ＿４、第２電極幹部３２０Ｓ＿４、第１電極枝部３１０Ｂ＿４、第２電極枝部４２０Ｂ＿４および第３電極３３０＿４を含み得る。第１電極幹部３１０Ｓ＿４と第２電極幹部３２０Ｓ＿４、第１電極枝部３１０Ｂ＿４と第２電極枝部３２０Ｂ＿４の構造や配置などは図１を参照して上述したとおりである。以下では差異点についてのみ詳細に説明する。
【０１８９】
第３電極３３０＿４は、第３電極枝部３３０Ｂ＿４と第３電極短片部３３０Ｇ＿４を含み得る。
【０１９０】
第３電極短片部３３０Ｇ＿４は、第１電極幹部３１０Ｓ＿４で分枝されるが、第３電極枝部３３０Ｂ＿４と離隔した状態で終止した第３−１電極短片部３３０Ｇａ＿４、第２電極幹部３２０Ｓ＿４で分枝されるが、第３電極枝部３３０Ｂ＿４と離隔した状態で終止した第３−２電極短片部３３０Ｇｂ＿４を含み得る。
【０１９１】
第３電極枝部３３０Ｂ＿４は、第３−１電極短片部３３０Ｇａ＿４と離隔し、第２方向Ｄ２に延びて第３−１電極短片部３３０Ｇａ＿４と整列される第３−１電極枝部３３０Ｂａ＿４、第３−２電極短片部３３０Ｇｂ＿４と離隔し、第２方向Ｄ２に延びて第３−２電極短片部３３０Ｇｂ＿４と整列される第３−２電極枝部３３０Ｂｂ＿４を含み得る。
【０１９２】
整理すると、第３−１電極枝部３３０Ｂａ＿４は、第２方向Ｄ２に延びるが、第３−１電極短片部３３０Ｇａ＿４と第２電極幹部３２０Ｓ＿４と離隔した状態で終止し得る。第３−１電極枝部３３０Ｂａ＿４と第３−１電極短片部３３０Ｇａ＿４は互いに延びて整列され得る。第３−２電極枝部３３０Ｂｂ＿４は、第２方向Ｄ２に延びるが、第３−２電極短片部３３０Ｇｂ＿４と第１電極幹部３１０Ｓ＿４と離隔した状態で終止し得る。第３−２電極枝部３３０Ｂｂ＿４と第３−２電極短片部３３０Ｇｂ＿４は互いに延びて整列され得る。
【０１９３】
第３電極３３０＿４は、第１電極幹部３１０Ｓ＿４と第２電極幹部３２０Ｓ＿４で第２方向Ｄ２に延びて配置された後、レーザなどによってそれぞれ第１電極幹部３１０Ｓ＿４と第２電極幹部３２０Ｓ＿４から電気的に分離して形成され得る。すなわち、第３電極３３０＿４は、実質的に第１電極枝部３１０Ｂ＿４および第２電極枝部３２０Ｂ＿４と同一であるが、電極幹部（３１０Ｓ＿４，３２０Ｓ＿４）と電気的に分離したものであり得る。
【０１９４】
図１４の表示装置１０＿４は、図１の表示装置１０に比べて第３電極３３０＿４が第１電極幹部３１０Ｓ＿４と第２電極幹部３２０Ｓ＿４で分枝された電極短片部（３３０Ｇａ＿４，３３０Ｇｂ＿４）をさらに含み得る。すなわち、第３−１電極枝部３３０Ｂａ＿４および第３−１電極短片部３３０Ｇａ＿４は、第１電極枝部３１０Ｂ＿４が第１電極幹部３１０Ｓ＿４と電気的に分離して形成されたものであり、第３−２電極枝部３３０Ｂｂ＿４および第３−２電極短片部３３０Ｇｂ＿４は、第２電極枝部３２０Ｂ＿４が第２電極幹部３２０Ｓ＿４と電気的に分離して形成されたものであり得る。
【０１９５】
ただし、これに制限されず、第３電極３３０＿４すべてが、第１電極枝部３１０Ｂ＿４または第２電極枝部３２０Ｂ＿４がそれぞれ電極幹部（３１０Ｓ＿４，３２０Ｓ＿４）と電気的に分離して形成されたものであり得る。
【０１９６】
各画素ＰＸの電極枝部は、第１方向Ｄ１に平行に配置されるが、それぞれの一端部は整列されなくてもよい。例えば、第３−１電極枝部３３０Ｂａ＿４の一端部は、第２電極枝部３２０Ｂ＿４と第３−２電極枝部３３０Ｂｂ＿４の一端部に比べて第２方向Ｄ２に突出することができる。逆に、第３−２電極枝部３３０Ｂｂ＿４の一端部は、第１電極枝部３１０Ｂ＿４と第３−１電極枝部３３０Ｂａ＿４の一端部に比べて第２方向Ｄ２に突出することができる。すなわち、各画素ＰＸに配置された複数の電極枝部は、第１方向Ｄ１に重なる領域と重ならず一部突出した領域を含み得る。ただし、これに制限されない。第３−１電極枝部３３０Ｂａ＿４と第３−２電極枝部３３０Ｂｂ＿４が形成される時、第１電極幹部３１０Ｓ＿４と第２電極幹部３２０Ｓ＿４から断線する領域を調整し、各電極枝部の両端部が整列されることもできる。
【０１９７】
発光素子３５０は、第１電極枝部３１０Ｂ＿４と第３−２電極枝部３３０Ｂｂ＿４との間、第３−２電極枝部３３０Ｂｂ＿４と第３−１電極枝部３３０Ｂａ＿４との間、第３−１電極枝部３３０Ｂａ＿４と第２電極枝部３２０Ｂ＿４との間に配置され得る。各電極枝部の間に整列された発光素子３５０は、直列に接続されて第１電極枝部３１０Ｂ＿４、第３−２電極枝部３３０Ｂｂ＿４、第３−１電極枝部３３０Ｂａ＿４および第２電極枝部３２０Ｂ＿４に流れる電流によって発光することができる。
【０１９８】
図１５ないし図１７は図１４の表示装置の製造方法を概略的に示す平面図である。
【０１９９】
先に、図１５を参照すると、表示装置１０＿４は、絶縁基板層３００上に複数の電極、例えば第１電極３１０＿４および第２電極３２０＿４を形成する。第１電極３１０＿４と第２電極３２０＿４は、それぞれ電極幹部（３１０Ｓ＿４，３２０Ｓ＿４）と電極枝部（３１０Ｂ＿４，３２０Ｂ＿４）を含む。図１５では第１電極枝部３１０Ｂ＿４と第２電極枝部３２０Ｂ＿４がそれぞれ二個ずつ配置された場合を示しているが、これに制限されない。第１電極幹部３１０Ｓ＿４、第２電極幹部３２０Ｓ＿４、第１電極枝部３１０Ｂ＿４および第２電極枝部３２０Ｂ＿４の配置や構造などは図１４を参照して説明した内容と同様である。複数の第１電極枝部３１０Ｂ＿４および第２電極枝部３２０Ｂ＿４のうち少なくとも一部は、後述する段階によって第３電極枝部３３０Ｂ＿４と第３電極短片部３３０Ｇ＿４を形成することができる。
【０２００】
次に、図１６を参照すると、各電極枝部（３１０Ｂ＿４，３２０Ｂ＿４）の間に発光素子３５０を整列する。これに対する詳しい説明は図９を参照して上述した内容と同様であるため、省略する。
【０２０１】
次に図１７を参照すると、第１電極幹部３１０Ｓ＿４と第２電極幹部３２０Ｓ＿４、第１電極枝部３１０Ｂ＿４と第２電極枝部３２０Ｂ＿４上の切断部ＣＢにそってこれらを電気的に分離する。ここで、切断部ＣＢにより電気的に分離した第１電極枝部３１０Ｂ＿４と第２電極枝部３２０Ｂ＿４は第３電極枝部３３０Ｂ＿４と第３電極短片部３３０Ｇ＿４を形成することができる。図１０を参照して説明した内容とは異なり、図１７では第１電極枝部３１０Ｂ＿４と第２電極枝部３２０Ｂ＿４も切断部ＣＢにより電気的に分離される。すなわち、第３電極３３０＿４は、別途の電極または配線を形成して製造することができ、第１電極枝部３１０Ｂ＿４と第２電極枝部３２０Ｂ＿４をそれぞれ電極幹部（３１０Ｓ＿４，３２０Ｓ＿４）から切断して形成することもできる。
【０２０２】
一例として、第１電極枝部３１０Ｂ＿４と第２電極枝部３２０Ｂ＿４のうち、画素ＰＸの中心を基準に外側に位置した第１電極枝部３１０Ｂ＿４と第２電極枝部３２０Ｂ＿４はそれぞれ第１電極幹部３１０Ｓ＿４と第２電極幹部３２０Ｓ＿４に電気的に接続されて電気信号の印加を直接受けることができる。反面、画素ＰＸの中心を基準に比較的内側に位置した第１電極枝部３１０Ｂ＿４と第２電極枝部３２０Ｂ＿４は第１電極幹部３１０Ｓ＿４および第２電極幹部３２０Ｓ＿４と電気的に分離して第３電極枝部３３０Ｂ＿４を形成することができる。この場合、第１電極幹部３１０Ｓ＿４と第２電極幹部３２０Ｓ＿４で分枝された第３電極短片部３３０Ｇ＿４が共に形成され得る。ただし、これに制限されず、第３電極短片部３３０Ｇ＿４は電極を断線する方法により省略することもできる。
【０２０３】
また、第１電極幹部３１０Ｓ＿４上の第１電極コンタクトホールＣＮＴＤおよび第２電極幹部３２０Ｓ＿４上の第２電極コンタクトホールＣＮＴＳを介して第１電極３１０＿４と第２電極３２０＿４は、上述した第１薄膜トランジスタ１２０および電源電極１６２と電気的に接続され得る。
【０２０４】
以下では、また他の実施形態による表示装置１０について説明する。
【０２０５】
図１８および図１９は他の実施形態による表示装置の平面図である。
【０２０６】
先に、図１８を参照すると、前述したように、第３電極３３０は複数であり得る。図１８の表示装置１０＿５は、図１４の表示装置１０＿４に比べて第３電極枝部３３０Ｂ＿５および第３電極短片部３３０Ｇ＿５がさらに多く配置されたことを除いては同一である。図１８では表示装置１０＿５は、６個の第３電極枝部３３０Ｂ＿５を含み、そのため直列に接続された発光素子３５０の整列は７個であり得る。発光素子３５０の整列数が増加するほど、前述したように表示装置の電圧分配効率や導線抵抗による電力損失などを改善することができる。図１８の表示装置１０＿５は、図１４の表示装置１０＿４が図１１の表示装置１０＿２と同一であるので、より詳しい説明は省略する。
【０２０７】
次に、図１９を参照すると、表示装置１０＿６は、図１４の表示装置１０＿４より第１電極枝部３１０Ｂ＿６をさらに一つ含み、表示装置１０＿６の各電極は、第２電極枝部３２０Ｂ＿６を基準に対称構造をなすことができる。そのため、第２電極枝部３２０Ｂ＿６の左側部に位置した第１発光素子整列３５０Ａ＿１と第２電極枝部３２０Ｂ＿６の右側部に位置した第２発光素子整列３５０Ａ＿２は、それぞれ直列に接続された発光素子整列を含み、互いに並列的に接続され得る。より詳しい説明は図１２を参照して上述した内容と同一である。
【０２０８】
一方、前述したように、第１電極３１０と第２電極３２０は、発光素子３５０を整列するための交流電源が印加される配線として活用することができる。また、表示装置１０を駆動するための電源が印加されて発光素子３５０に電気信号を印加することができる。ただし、これに制限されるものではない。第１電極３１０と第２電極３２０のうち少なくともいずれか一つは、発光素子３５０を整列するための交流電源が印加される配線と表示装置１０を駆動するための電源が印加される配線が異なってもよい。これに対するより詳細な説明は後述する。
【０２０９】
図２０はまた他の実施形態による表示装置の平面図である。
【０２１０】
図２０を参照すると、表示装置１０＿７の第１電極３１０＿７は、第１電極幹部３１０Ｓ＿７と第１電極幹部３１０Ｓ＿７で分枝される第１電極枝部３１０Ｂ＿７を含む。第１電極幹部３１０Ｓ＿７および第１電極枝部３１０Ｂ＿７は、上述した図１の表示装置１０および図１４の表示装置１０＿４と同一である。これに対する詳しい説明は省略する。
【０２１１】
第２電極３２０は、第２電極枝部３２０Ｂ’＿７と第２電極短片部３２０Ｇ’＿７および第２電極配線３２０Ｓ’＿７を含み得る。図１とは異なり、図２０の表示装置１０＿７は、第２電極枝部３２０Ｂ’＿７が第１電極幹部３１０Ｓ＿７で分枝されるが、後述する段階によって電気的に分離して形成され得る。すなわち、表示装置１０＿７の製造時、第１電極枝部３１０Ｂ＿７が第１電極幹部３１０Ｓ＿７と分離することによって第２電極枝部３２０Ｂ’＿７と第２電極短片部３２０Ｇ’＿７を形成することができる。ただし、これに制限されるものではなく、第２電極枝部３２０Ｂ’＿７は別の配線や電極から形成されたものであり得る。
【０２１２】
第２電極枝部３２０Ｂ’＿７は、第２方向Ｄ２に延びて第１電極枝部３２０Ｂ＿７に離隔して配置され得る。第２電極枝部３２０Ｂ’＿７は、一端部は第２電極短片部３２０Ｇ’＿７と離隔した状態で終止し、他端部は第１方向Ｄ１に延びる第２電極配線３２０Ｓ’＿７と電気的に接続され得る。
【０２１３】
第２電極短片部３２０Ｇ’＿７は、第１電極幹部３２０Ｓ’＿７で第２方向Ｄ２に突出して形成され得る。第２電極短片部３２０Ｇ’＿７は、第２電極枝部３２０Ｂ’＿７が終止した一端部と対抗するように配置され得る。すなわち、第２電極枝部３２０Ｂ’＿７と第２電極短片部３２０Ｇ’＿７は、第２方向Ｄ２に整列することができる。
【０２１４】
第３電極３３０＿７は、第１電極枝部３１０Ｂ＿７と第２駆動電極枝部３２０Ｂ’＿７が離隔した間に配置される。第３電極３３０＿７の配置や構造などは図１および図１４を参照して上述した内容と同一である。ただし、第３電極３３０＿７は後述するように、表示装置１０＿７の製造時に第２電極枝部３２０Ｂ＿７が第２電極幹部（３２０Ｂ＿７，図２１に図示）と電気的に分離して形成され得る。
【０２１５】
一方、第２電極配線３２０Ｓ’＿７は、第１方向Ｄ１に延び、第１電極幹部３２０Ｓ＿７と離隔して配置され得る。図面に示していないが、第２電極配線３２０Ｓ’＿７は、第１電極幹部３１０Ｓ＿７と互いに異なる配線層に配置され得る。そのため、第２電極配線３２０Ｓ’＿７は、第２電極コンタクトホールＣＮＴＳを介して第２電極枝部３２０Ｂ’＿７と電気的に接続され得る。第２電極配線３２０Ｓ’＿７は、上述した電源配線１６１と接続され得、第２電極枝部３２０Ｂ’＿７に電源電圧を印加することができる。反面、第２電極幹部（３２０Ｓ＿７，図２１に図示）は、表示装置１０＿７の製造時発光素子３５０の整列のための交流電圧が印加され得る。すなわち、表示装置１０＿７は、互いに異なる二つの配線、例えば第２電極配線３２０Ｓ’＿７と第２電極幹部３２０Ｓ＿７を含んでそれぞれ他の電圧を印加することができる。
【０２１６】
発光素子３５０は、第１電極枝部３１０Ｂ＿７と第３電極３３０＿７との間、第３電極３３０＿７と第２電極枝部３２０Ｂ’＿７との間に配置され得る。一部の発光素子３５０は、一端部が第１電極枝部３１０Ｂ＿７と電気的に接続され、他端部が第３電極３３０＿７と接続され、残りの一部発光素子３５０は、一端部が第３電極３３０＿７と接続されて他端部が第２電極枝部３２０Ｂ’＿７と電気的に接続され得る。そのため、発光素子３５０は、第１電極枝部３１０Ｂ＿７と第２電極枝部３２０Ｂ’＿７との間で直列に接続され得る。発光素子３５０は、第１電極コンタクトホールＣＮＴＤを介して第１薄膜トランジスタ１２０と接続された第１電極幹部３１０Ｓ＿７と、第２電極コンタクトホールＣＮＴＳを介して第２電極配線３２０Ｓ’＿７の電源電極１６２と接続された第２電極枝部３２０Ｂ’＿７から電源電圧の印加を受けることができる。
【０２１７】
図２１ないし図２３は図２０の表示装置の製造方法を概略的に示す平面図である。
【０２１８】
先に、図２１を参照すると、絶縁基板層３００上に第１電極幹部３１０Ｓ＿７、第１電極枝部３１０Ｂ＿７、第２電極幹部３２０Ｓ＿７、第３電極３３０＿７、第２電極枝部３２０Ｂ’＿７および第２電極配線３２０Ｓ’＿７を形成する。
【０２１９】
第１電極幹部３１０Ｓ＿７と第１電極枝部３１０Ｂ＿７は、上述した内容と同様であるため、詳しい説明は省略する。
【０２２０】
第３電極３３０＿７の場合、第２電極幹部３２０Ｓ＿７から第２方向Ｄ２に分枝されるが、第１電極幹部３１０Ｓ＿７と離隔した状態で終止する。第３電極３３０＿７は、第１電極枝部３１０Ｂ＿７と離隔して配置され、互いに第２方向Ｄ２で逆方向に延びる。
【０２２１】
第２電極枝部３２０Ｂ’＿７は、第１電極幹部３１０Ｓ＿７で分枝されるが、第１電極枝部３１０Ｂ＿７と離隔して第２方向Ｄ２に延びる。第２電極枝部３２０Ｂ’＿７は、第１電極枝部３１０Ｂ＿７と同じ方向に延びるが、第２電極幹部３２０Ｓ＿７に対向する一端部が第１電極枝部３１０Ｂ＿７の一端部より突出するように延びることができる。第２電極枝部３２０Ｂ’＿７は、後述する段階で第２電極配線３２０Ｓ’＿７と第２電極コンタクトホールＣＮＴＳを介して電気的に接続されるので、平面上第２電極配線３２０Ｓ’＿７を覆うように配置され得る。
【０２２２】
第２電極配線３２０Ｓ’＿７は、第１方向Ｄ１に延びるが、第１電極幹部３１０Ｓ＿７と第２電極幹部３２０Ｓ＿７との間に配置される。第２電極配線３２０Ｓ’＿７は、第１電極幹部３１０Ｓ＿７および第２電極幹部３２０Ｓ＿７と異なる配線層に配置され、後述する第２電極コンタクトホールＣＮＴＳを介して電気的に接続され得る。
【０２２３】
次に、図２２を参照すると、第１電極枝部３１０Ｂ＿７、第３電極３３０＿７および第２電極枝部３２０Ｂ’＿７の間に少なくとも一つの発光素子３５０を整列する。発光素子３５０を整列する時には、第１電極幹部３１０Ｓ＿７と第２電極幹部３２０Ｓ＿７に交流電源を印加して各電極の間に電場によるキャパシタンスを形成する。発光素子３５０が整列する方法は上述した内容と同一である。
【０２２４】
次に、図２３を参照すると、第１電極枝部３１０Ｂ＿７、第３電極３３０＿７、第２電極枝部３２０Ｂ＿７上に接触電極３６０を形成して発光素子３５０と接触させる。接触電極３６０上には上述した複数の部材がさらに形成され得る。これに対する詳しい説明は省略する。
【０２２５】
最後に図２３に示すように、切断部ＣＢに沿って第１電極幹部３１０Ｓ＿７、第２電極枝部３２０Ｂ’＿７、第３電極３３０＿７、第２電極幹部３２０Ｓ＿７を電気的に分離する。そして、第１電極幹部３１０Ｓ＿７は、第１電極コンタクトホールＣＮＴＤを介して第１薄膜トランジスタ１２０と電気的に接続され、第２電極配線３２０Ｓ’＿７は、第２電極コンタクトホールＣＮＴＳを介して第２電極枝部３２０Ｂ’＿７と電気的に接続され得る。また、第２電極枝部３２０Ｂ’＿７は、第１電極幹部３１０Ｓ＿７と電気的に分離し、第２電極短片部３２０Ｇ’＿７と離隔した状態に配置され得る。第３電極３３０＿３は、第２電極幹部３２０Ｓ＿７と電気的に分離することができる。
【０２２６】
そのため、第１電極枝部３１０Ｂ＿７と第２電極枝部３２０Ｂ’＿７との間には電流が流れることができ、第１電極枝部３１０Ｂ＿７と第３電極３３０＿７との間、第３電極３３０＿７と第２電極枝部３２０Ｂ’＿７との間に配置された発光素子３５０は直列に接続され得る。
【０２２７】
以上、添付する図面を参照して本発明の実施形態について説明したが、本発明が属する技術分野における通常の知識を有する者は、本発明のその技術的思想や必須の特徴を変更せず、他の具体的な形態で実施できることを理解することができる。したがって、上記実施形態はすべての面で例示的なものであり、限定的なものではないと理解しなければならない。
【図１】
2021532401.tif 000003
【図２】
2021532401.tif 000004
【図３】
2021532401.tif 000005
【図４】
2021532401.tif 000006
【図５】
2021532401.tif 000007
【図６】
2021532401.tif 000008
【図７】
2021532401.tif 000009
【図８】
2021532401.tif 000010
【図９】
2021532401.tif 000011
【図１０】
2021532401.tif 000012
【図１１】
2021532401.tif 000013
【図１２】
2021532401.tif 000014
【図１３】
2021532401.tif 000015
【図１４】
2021532401.tif 000016
【図１５】
2021532401.tif 000017
【図１６】
2021532401.tif 000018
【図１７】
2021532401.tif 000019
【図１８】
2021532401.tif 000020
【図１９】
2021532401.tif 000021
【図２０】
2021532401.tif 000022
【図２１】
2021532401.tif 000023
【図２２】
2021532401.tif 000024
【図２３】
2021532401.tif 000025
【手続補正書】
【提出日】令和3年1月20日(2021.1.20)
【手続補正１】
【補正対象書類名】図面
【補正対象項目名】図１
【補正方法】変更
【補正の内容】
【図１】
2021532401.tif 000026
【手続補正２】
【補正対象書類名】図面
【補正対象項目名】図３
【補正方法】変更
【補正の内容】
【図３】
2021532401.tif 000027
【手続補正３】
【補正対象書類名】図面
【補正対象項目名】図４
【補正方法】変更
【補正の内容】
【図４】
2021532401.tif 000028
【手続補正４】
【補正対象書類名】図面
【補正対象項目名】図６
【補正方法】変更
【補正の内容】
【図６】
2021532401.tif 000029
【手続補正５】
【補正対象書類名】図面
【補正対象項目名】図７
【補正方法】変更
【補正の内容】
【図７】
2021532401.tif 000030
【手続補正６】
【補正対象書類名】図面
【補正対象項目名】図１２
【補正方法】変更
【補正の内容】
【図１２】
2021532401.tif 000031
【手続補正７】
【補正対象書類名】図面
【補正対象項目名】図１４
【補正方法】変更
【補正の内容】
【図１４】
2021532401.tif 000032
【手続補正８】
【補正対象書類名】図面
【補正対象項目名】図１８
【補正方法】変更
【補正の内容】
【図１８】
2021532401.tif 000033
【手続補正９】
【補正対象書類名】図面
【補正対象項目名】図２１
【補正方法】変更
【補正の内容】
【図２１】
2021532401.tif 000034
【手続補正１０】
【補正対象書類名】図面
【補正対象項目名】図２３
【補正方法】変更
【補正の内容】
【図２３】
2021532401.tif 000035
【国際調査報告】
2021532401.tif 000036
2021532401.tif 000037
2021532401.tif 000038
2021532401.tif 000039